(57)【要約】【課題】新規なマシンタイプ通信、ＭＴＣにおける低減帯域幅無線送受信ユニット、ＷＴＲＵのためのページングの方法を提供する。【解決手段】ＷＴＲＵは、ＷＴＲＵ識別子、ＷＴＲＵ−ＩＤの関数の少なくとも最上位ビット、ＭＳＢに基づいて、ＭＴＣ物理ダウンリンク制御チャネル、Ｍ−ＰＤＣＣＨを監視するために用いる、ＷＴＲＵのためのページング狭帯域ＮＢを決定する。ＷＴＲＵは、ＷＴＲＵのための決定されたページングＮＢ上でＭ−ＰＤＣＣＨに対して監視する。ＷＴＲＵは、ページングオケージョン、ＰＯの間に、決定されたページングＮＢ上で、監視されたＭ−ＰＤＣＣＨ上でダウンリンク制御情報、ＤＣＩを受信する。次いでＷＴＲＵは、Ｍ−ＰＤＣＣＨに関連付けられた物理ダウンリンク共有チャネル、ＰＤＳＣＨを受信する。【選択図】図６
2020108153.tif 000002
【特許請求の範囲】
【請求項１】
マシンタイプ通信（ＭＴＣ）無線送受信ユニット（ＷＴＲＵ）において行われる方法であって、
前記ＷＴＲＵによって、ＷＴＲＵ識別子（ＷＴＲＵ−ＩＤ）の関数の少なくとも最上位ビット（ＭＳＢ）に基づいて、ＭＴＣ物理ダウンリンク制御チャネル（Ｍ−ＰＤＣＣＨ）を監視するために用いる、前記ＷＴＲＵのためのページング狭帯域（ＮＢ）を決定するステップと、
前記ＷＴＲＵによって、前記ＷＴＲＵのための前記決定されたページングＮＢ上で前記Ｍ−ＰＤＣＣＨに対して監視するステップと、
前記ＷＴＲＵによって、ページングオケージョン（ＰＯ）の間に、前記決定されたページングＮＢ上で、前記監視されたＭ−ＰＤＣＣＨ上でダウンリンク制御情報（ＤＣＩ）を受信するステップと、
前記ＷＴＲＵによって、前記Ｍ−ＰＤＣＣＨに関連付けられた物理ダウンリンク共有チャネル（ＰＤＳＣＨ）を受信するステップと
を備えたことを特徴とする方法。
【請求項２】
前記ＷＴＲＵは、前記ＷＴＲＵ−ＩＤの関数の少なくとも３つのＭＳＢに基づいて前記ページングＮＢを決定することを特徴とする請求項１に記載の方法。
【請求項３】
前記ＷＴＲＵは、前記ＷＴＲＵ−ＩＤの関数の少なくとも４つのＭＳＢに基づいて前記ページングＮＢを決定することを特徴とする請求項１に記載の方法。
【請求項４】
前記ＤＣＩは、ページング無線ネットワーク一時識別子（Ｐ−ＲＮＴＩ）でスクランブルされた巡回冗長検査（ＣＲＣ）を含むことを特徴とする請求項１に記載の方法。
【請求項５】
前記ＰＤＳＣＨは、前記ＤＣＩによってスケジュールされることを特徴とする請求項１に記載の方法。
【請求項６】
前記ＤＣＩは、システム情報更新関連情報を含むことを特徴とする請求項１に記載の方法。
【請求項７】
前記ＰＤＳＣＨは、システム情報更新関連情報を含むことを特徴とする請求項１に記載の方法。
【請求項８】
前記ＰＤＳＣＨは、ページングメッセージを含むことを特徴とする請求項１に記載の方法。
【請求項９】
前記ＷＴＲＵ−ＩＤは、ＷＴＲＵ国際移動体加入者識別番号（ＩＭＳＩ）であることを特徴とする請求項１に記載の方法。
【請求項１０】
前記関数は、ＩＭＳＩ  ｍｏｄ  １６，３８４を含むことを特徴とする請求項９に記載の方法。
【請求項１１】
前記ＷＴＲＵのための前記ページングＮＢを決定するステップは、ページングのためのＮＢの数にさらに基づくことを特徴とする請求項１に記載の方法。
【請求項１２】
マシンタイプ通信（ＭＴＣ）無線送受信ユニット（ＷＴＲＵ）であって、
ＷＴＲＵ識別子（ＷＴＲＵ−ＩＤ）の関数の少なくとも最上位ビット（ＭＳＢ）に基づいて、ＭＴＣ物理ダウンリンク制御チャネル（Ｍ−ＰＤＣＣＨ）を監視するために用いる、前記ＷＴＲＵのためのページング狭帯域（ＮＢ）を決定するように構成されたプロセッサと、
前記プロセッサに動作可能に結合されたトランシーバであって、前記トランシーバおよびプロセッサは、前記ＷＴＲＵのための前記決定されたページングＮＢ上で前記Ｍ−ＰＤＣＣＨに対して監視するように構成される、トランシーバと
を備え、前記トランシーバおよびプロセッサは、ページングオケージョン（ＰＯ）の間に、前記決定されたページングＮＢ上で、前記監視されたＭ−ＰＤＣＣＨ上でダウンリンク制御情報（ＤＣＩ）を受信するように構成され、
前記トランシーバおよびプロセッサは、前記Ｍ−ＰＤＣＣＨに関連付けられた物理ダウンリンク共有チャネル（ＰＤＳＣＨ）を受信するように構成されたことを特徴とするＷＴＲＵ。
【請求項１３】
前記ＷＴＲＵは、前記ＷＴＲＵ−ＩＤの関数の少なくとも３つのＭＳＢに基づいて前記ページングＮＢを決定することを特徴とする請求項１２に記載のＷＴＲＵ。
【請求項１４】
前記ＷＴＲＵは、前記ＷＴＲＵ−ＩＤの関数の少なくとも４つのＭＳＢに基づいて前記ページングＮＢを決定することを特徴とする請求項１２に記載のＷＴＲＵ。
【請求項１５】
前記ＤＣＩは、ページング無線ネットワーク一時識別子（Ｐ−ＲＮＴＩ）でスクランブルされた巡回冗長検査（ＣＲＣ）を含むことを特徴とする請求項１２に記載のＷＴＲＵ。
【請求項１６】
前記ＰＤＳＣＨは、前記ＤＣＩによってスケジュールされることを特徴とする請求項１２に記載のＷＴＲＵ。
【請求項１７】
前記ＤＣＩは、システム情報更新関連情報を含むことを特徴とする請求項１２に記載のＷＴＲＵ。
【請求項１８】
前記ＰＤＳＣＨは、システム情報更新関連情報を含むことを特徴とする請求項１２に記載のＷＴＲＵ。
【請求項１９】
前記ＰＤＳＣＨは、ページングメッセージを含むことを特徴とする請求項１２に記載のＷＴＲＵ。
【請求項２０】
前記ＷＴＲＵ−ＩＤは、ＷＴＲＵ国際移動体加入者識別番号（ＩＭＳＩ）であることを特徴とする請求項１２に記載のＷＴＲＵ。
【請求項２１】
前記関数は、ＩＭＳＩ  ｍｏｄ  １６，３８４を含むことを特徴とする請求項２０に記載のＷＴＲＵ。
【請求項２２】
前記ＷＴＲＵのための前記ページングＮＢを決定する前記ステップは、ページングのためのＮＢの数にさらに基づくことを特徴とする請求項１２に記載のＷＴＲＵ。
【請求項２３】
マシンタイプ通信（ＭＴＣ）無線送受信ユニット（ＷＴＲＵ）において行われる方法であって、
前記ＷＴＲＵによって、Ｍ−ＰＤＣＣＨ探索空間内でＭＴＣ物理ダウンリンク制御チャネル（Ｍ−ＰＤＣＣＨ）に対して監視するステップと、
前記ＷＴＲＵによって、前記Ｍ−ＰＤＣＣＨ探索空間内でＭ−ＰＤＣＣＨを受信するステップであって、前記Ｍ−ＰＤＣＣＨは、前記ＷＴＲＵを含んだＷＴＲＵグループに対する開始拡張制御チャネル要素（ＥＣＣＥ）インデックスを有する、ステップと、
前記ＷＴＲＵによって、前記Ｍ−ＰＤＣＣＨを復号するステップであって、前記Ｍ−ＰＤＣＣＨはダウンリンク制御情報（ＤＣＩ）を含む、ステップと、
前記ＷＴＲＵによって、前記Ｍ−ＰＤＣＣＨに関連付けられた物理ダウンリンク共有チャネル（ＰＤＳＣＨ）を受信するステップと
を備えたことを特徴とする方法。
【請求項２４】
前記ＷＴＲＵによって、前記ＤＣＩに基づいて前記ＰＤＳＣＨを復調するステップであって、前記ＰＤＳＣＨはページングメッセージを含む、ステップ
をさらに備えたことを特徴とする請求項２３に記載の方法。
【請求項２５】
前記ＷＴＲＵは、前記ページングメッセージに基づいて動作を変化させることを特徴とする請求項２４に記載の方法。
【請求項２６】
前記ＷＴＲＵが動作を変化させるステップは、前記ＷＴＲＵが前記ページングメッセージに基づいて、アイドルモードから接続モードに変化させるステップを含むことを特徴とする請求項２５に記載の方法。
【請求項２７】
ＥＣＣＥアグリゲーションレベルは、１６であることを特徴とする請求項２３に記載の方法。
【請求項２８】
前記ＷＴＲＵによって、前記ＤＣＩに基づいて前記ＰＤＳＣＨを受信するステップであって、前記ＰＤＳＣＨはページングメッセージを含む、ステップ
をさらに備えたことを特徴とする請求項２３に記載の方法。
【請求項２９】
前記ＷＴＲＵによって、前記ＤＣＩに基づいて前記ＰＤＳＣＨを復号するステップであって、前記ＰＤＳＣＨはページングメッセージを含む、ステップ
をさらに備えたことを特徴とする請求項２３に記載の方法。
【発明の詳細な説明】
【背景技術】
【０００１】
本発明は、低減帯域幅マシンタイプ通信（ＭＴＣ）デバイスのためのページング手順を実行する方法およびＭＴＣデバイスに関する。
【０００２】
関連出願の相互参照
本出願は、参照によりその内容が本明細書に組み込まれている、２０１５年１１月４日に出願した米国特許仮出願第６２／２５０，８０３号明細書、２０１６年２月３日に出願した米国特許仮出願第６２／２９０，７９０号明細書、および２０１６年３月１４日に出願した米国特許仮出願第６２／３０８，０４２号明細書の利益を主張するものである。
【０００３】
ロングタームエボリューション（ＬＴＥ）システムなどの無線通信システムが成熟し、それらのネットワーク展開が発展するにつれ、ネットワークオペレータにとっては、通信ネットワークのコスト、通信ネットワークの保守の必要性、またはその両方を低減することが有益となる。ネットワークのコストを低減するための１つの技法は、デバイスと通信するために用いられるチャネル帯域幅およびデータレートを低減することであり得る。
【０００４】
例えばこのようなデバイスと通信するとき、チャネル帯域幅全体ではなくチャネル帯域幅の一部分が、ネットワーク内のデバイスおよび／またはネットワーク自体によってサポートされ得る。現在の無線通信システム、例えばＬＴＥは最近、マシンタイプ通信（ＭＴＣ）デバイスを含むいくつかのデバイスに対する、一定のレベル例えば１．４メガヘルツ（ＭＨｚ）までの帯域幅低減を検討してきている。
【発明の概要】
【発明が解決しようとする課題】
【０００５】
マシンタイプ通信、ＭＴＣにおける低減帯域幅無線送受信ユニット、ＷＴＲＵのためのページングの方法を提供する。
【課題を解決するための手段】
【０００６】
マシンタイプ通信（ＭＴＣ）における低減帯域幅無線送受信ユニット（ＷＴＲＵ）のためのページングの方法が提供される。ＷＴＲＵは、ＷＴＲＵ識別子（ＷＴＲＵ−ＩＤ）の関数の少なくとも最上位ビット（ＭＳＢ）に基づいて、ＭＴＣ物理ダウンリンク制御チャネル（Ｍ−ＰＤＣＣＨ）を監視するために用いる、ＷＴＲＵのためのページング狭帯域（ＮＢ）を決定することができる。ＷＴＲＵは、ＷＴＲＵのための決定されたページングＮＢ上でＭ−ＰＤＣＣＨに対して監視することができる。次いでＷＴＲＵは、ページングオケージョン（paging occasion）（ＰＯ）の間に、決定されたページングＮＢ上で、監視されたＭ−ＰＤＣＣＨ上でダウンリンク制御情報（ＤＣＩ）を受信することができる。ＤＣＩは、スクランブルされた巡回冗長検査（ＣＲＣ）を含むことができる。ＣＲＣは、ページング無線ネットワーク一時識別子（Ｐ−ＲＮＴＩ）でスクランブルされ得る。ＷＴＲＵはまた、Ｍ−ＰＤＣＣＨに関連付けられた物理ダウンリンク共有チャネル（ＰＤＳＣＨ）を受信することができる。
【０００７】
例においてＷＴＲＵは、ＷＴＲＵ−ＩＤの関数の少なくとも３つのＭＳＢに基づいてページングＮＢを決定することができる。他の例においてＷＴＲＵは、ＷＴＲＵ−ＩＤの関数の少なくとも４つのＭＳＢに基づいてページングＮＢを決定することができる。
【０００８】
さらにＰＤＳＣＨは、ＤＣＩによってスケジュールされ得る。例においてＤＣＩは、ページングメッセージを含むことができる。他の例においてＤＣＩは、システム情報更新関連情報を含むことができる。他の例においてＰＤＳＣＨは、ページングメッセージを含むことができる。さらなる例においてＰＤＳＣＨは、システム情報更新関連情報を含むことができる。
【０００９】
さらにＷＴＲＵは、Ｍ−ＰＤＣＣＨ探索空間内でＭ−ＰＤＣＣＨに対して監視することができる。ＷＴＲＵは、Ｍ−ＰＤＣＣＨ探索空間内でＭ−ＰＤＣＣＨを受信することができ、Ｍ−ＰＤＣＣＨは、ＷＴＲＵを含んだＷＴＲＵグループに対する開始拡張制御チャネル要素（ＥＣＣＥ）インデックスを有する。さらにＷＴＲＵはＭ−ＰＤＣＣＨを復号することができ、Ｍ−ＰＤＣＣＨはＤＣＩを含む。さらにＷＴＲＵは、Ｍ−ＰＤＣＣＨに関連付けられたＰＤＳＣＨを受信することができる。
【００１０】
さらにＷＴＲＵは、ＤＣＩに基づいてＰＤＳＣＨを受信、復号、および／または復調することができ、ＰＤＳＣＨはページングメッセージを含む。次いでＷＴＲＵは、ページングメッセージに基づいて動作を変化させることができる。例えばＷＴＲＵは、ページングメッセージに基づいてアイドルモードから接続モードに変化させることができる。例においてＥＣＣＥアグリゲーションレベルは、１６とすることができる。
【発明の効果】
【００１１】
新規なマシンタイプ通信、ＭＴＣにおける低減帯域幅無線送受信ユニット、ＷＴＲＵのためのページングの方法が提供される。
【図面の簡単な説明】
【００１２】
より詳細な理解は、添付の図面と共に例として示される以下の説明から得られ得る。
【図１Ａ】１つ以上の実施形態が実施できる例示の通信システムの図である。
【図１Ｂ】図１Ａの通信システム内で用いられる、例示の無線送受信ユニット（ＷＴＲＵ）のシステム図である。
【図１Ｃ】図１Ａの通信システム内で用いられる、例示の無線アクセスネットワークおよびコアネットワークのシステム図である。
【図２】ハイパーフレーム、およびハイパーフレーム内のページングを示す例示的タイミング図である。
【図３】ＷＴＲＵグループ固有開始拡張制御チャネル要素（ＥＣＣＥ）インデックスを示す例示的な図である。
【図４】ＷＴＲＵグループに基づく開始ＥＣＣＥインデックスによりマシンタイプ通信物理ダウンリンク制御チャネルを受信するＷＴＲＵを示す例示フローチャートである。
【図５】ＷＴＲＵグループ固有ランダムＥＣＣＥ順序付けを示す例示的図である。
【図６】ＷＴＲＵがＷＴＲＵ−ＩＤを用いて、Ｍ−ＰＤＣＣＨを監視するのに用いるページング狭帯域（ＮＢ）の決定を示す例示フローチャートの図である。
【図７】ページングオケージョン（ＰＯ）内の関連付けられたＰＤＣＣＨによりスケジュールされる、ＰＤＳＣＨ内の符号ブロックセグメント多重化例を示す図である。
【図８】ＰＯ内の関連付けられたＰＤＣＣＨによってスケジュールされ得る、複数のＰＤＳＣＨを通じて送信される符号ブロックセグメントの例を示す図である。
【発明を実施するための形態】
【００１３】
図１Ａは、１つまたは複数の開示される実施形態が実施され得る、例示の通信システム１００の図である。通信システム１００は、複数の無線ユーザに音声、データ、ビデオ、メッセージング、ブロードキャストなどのコンテンツを提供する、多元接続方式とすることができる。通信システム１００は、複数の無線ユーザが、無線帯域幅を含んだシステムリソースの共有を通して、このようなコンテンツにアクセスすることを可能にし得る。例えば通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を使用することができる。
【００１４】
図１Ａに示されるように通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話ネットワーク（ＰＳＴＮ）１０８、インターネット１１０、および他のネットワーク１１２を含むことができるが、開示される実施形態は任意の数のＷＴＲＵ、基地局、ネットワーク、および／またはネットワーク要素を企図することが理解されるであろう。ＷＴＲＵ１０２ａ、１０２ｂ、１０２ｃ、１０２ｄのそれぞれは、無線環境において動作および／または通信するように構成された任意のタイプのデバイスとすることができる。例としてＷＴＲＵ１０２ａ、１０２ｂ、１０２ｃ、１０２ｄは、無線信号を送信および／または受信するように構成されることができ、ユーザ機器（ＵＥ）、移動局、固定または移動体加入者ユニット、ページャ、携帯電話、携帯情報端末（ＰＤＡ）、スマートフォン、ラップトップ、ネットブック、パーソナルコンピュータ、無線センサ、民生用電子機器などを含むことができる。
【００１５】
通信システム１００はまた、基地局１１４ａおよび基地局１１４ｂを含むことができる。基地局１１４ａ、１１４ｂのそれぞれは、コアネットワーク１０６、インターネット１１０、および／または他のネットワーク１１２などの、１つまたは複数の通信ネットワークへのアクセスを容易にするように、ＷＴＲＵ１０２ａ、１０２ｂ、１０２ｃ、１０２ｄの少なくとも１つと無線でインターフェイス接続するように構成された任意のタイプのデバイスとすることができる。例として基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、無線ルータなどとすることができる。基地局１１４ａ、１１４ｂはそれぞれ単一の要素として示されるが、基地局１１４ａ、１１４ｂは、任意の数の相互接続された基地局および／またはネットワーク要素を含み得ることが理解されるであろう。
【００１６】
基地局１１４ａは、基地局コントローラ（ＢＳＣ）、無線ネットワークコントローラ（ＲＮＣ）、中継ノードなどの、他の基地局および／またはネットワーク要素（図示せず）も含み得る、ＲＡＮ１０４の一部とすることができる。基地局１１４ａおよび／または基地局１１４ｂは、セル（図示せず）と呼ばれ得る特定の地理的領域内で、無線信号を送信および／または受信するように構成され得る。セルは、セルセクタにさらに分割され得る。例えば基地局１１４ａに関連付けられたセルは、３つのセクタに分割され得る。従って一実施形態において基地局１１４ａは、３つのトランシーバ、すなわちセルの各セクタに対して１つを含むことができる。他の実施形態において基地局１１４ａは、多入力多出力（ＭＩＭＯ）技術を使用することができ、従ってセルの各セクタに対して複数のトランシーバを利用することができる。
【００１７】
基地局１１４ａ、１１４ｂは、任意の適切な無線通信リンク（例えば無線周波数（ＲＦ）、マイクロ波、赤外線（ＩＲ）、紫外線（ＵＶ）、可視光など）とすることができるエアインターフェイス１１６を通して、ＷＴＲＵ１０２ａ、１０２ｂ、１０２ｃ、１０２ｄの１つまたは複数と通信することができる。エアインターフェイス１１６は、任意の適切な無線アクセス技術（ＲＡＴ）を用いて確立され得る。
【００１８】
より具体的には上記のように通信システム１００は、多元接続方式とすることができ、ＣＤＭＡ、ＴＤＭＡ、ＦＤＭＡ、ＯＦＤＭＡ、ＳＣ−ＦＤＭＡなどの１つまたは複数のチャネルアクセス方式を使用することができる。例えばＲＡＮ１０４内の基地局１１４ａ、およびＷＴＲＵ１０２ａ、１０２ｂ、１０２ｃは、ユニバーサル移動体通信システム（ＵＭＴＳ）地上無線アクセス（ＵＴＲＡ）などの無線技術を実施することができ、これは広帯域ＣＤＭＡ（ＷＣＤＭＡ）を用いてエアインターフェイス１１６を確立することができる。ＷＣＤＭＡは、高速パケットアクセス（ＨＳＰＡ）および／またはＥｖｏｌｖｅｄ  ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１９】
他の実施形態において基地局１１４ａおよびＷＴＲＵ１０２ａ、１０２ｂ、１０２ｃは、Ｅｖｏｌｖｅｄ  ＵＭＴＳ地上無線アクセス（Ｅ−ＵＴＲＡ）などの無線技術を実施することができ、これはロングタームエボリューション（ＬＴＥ）および／またはＬＴＥ−Ａｄｖａｎｃｅｄ（ＬＴＥ−Ａ）を用いてエアインターフェイス１１６を確立することができる。
【００２０】
他の実施形態において基地局１１４ａおよびＷＴＲＵ１０２ａ、１０２ｂ、１０２ｃは、ＩＥＥＥ  ８０２．１６（すなわちマイクロ波アクセス用世界規模相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭ進化型高速データレート（ＥＤＧＥ）、ＧＳＭ  ＥＤＧＥ（ＧＥＲＡＮ）などの無線技術を実施することができる。
【００２１】
図１Ａの基地局１１４ｂは、例えば無線ルータ、ホームノードＢ、ホームｅノードＢ、またはアクセスポイントとすることができ、事業所、自宅、乗り物、キャンパスなどの局在したエリア内の無線接続性を容易にするための、任意の適切なＲＡＴを利用することができる。一実施形態において基地局１１４ｂおよびＷＴＲＵ１０２ｃ、１０２ｄは、ＩＥＥＥ  ８０２．１１などの無線技術を実施して、無線ローカルエリアネットワーク（ＷＬＡＮ）を確立することができる。他の実施形態において基地局１１４ｂおよびＷＴＲＵ１０２ｃ、１０２ｄは、ＩＥＥＥ  ８０２．１５などの無線技術を実施して、無線パーソナルエリアネットワーク（ＷＰＡＮ）を確立することができる。他の実施形態において基地局１１４ｂおよびＷＴＲＵ１０２ｃ、１０２ｄは、セルラベースのＲＡＴ（例えばＷＣＤＭＡ、ＣＤＭＡ２０００、ＧＳＭ、ＬＴＥ、ＬＴＥ−Ａなど）を利用して、ピコセルまたはフェムトセルを確立できる。図１Ａに示されるように基地局１１４ｂは、インターネット１１０への直接接続を有することができる。従って基地局１１４ｂは、コアネットワーク１０６を通じてインターネット１１０にアクセスすることが不要となり得る。
【００２２】
ＲＡＮ１０４は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数に提供するように構成された任意のタイプのネットワークとすることができる、コアネットワーク１０６と通信することができる。例えばコアネットワーク１０６は、呼制御、料金請求サービス、移動体位置ベースのサービス、プリペイドコール、インターネット接続性、ビデオ配信などを提供することができ、および／またはユーザ認証などの高レベルセキュリティ機能を行うことができる。図１Ａに示されないが、ＲＡＮ１０４および／またはコアネットワーク１０６は、ＲＡＮ１０４と同じＲＡＴまたは異なるＲＡＴを使用する他のＲＡＮと、直接または間接に通信できることが理解されるであろう。例えば、Ｅ−ＵＴＲＡ無線技術を利用し得るＲＡＮ１０４に接続されることに加えて、コアネットワーク１０６は、ＧＳＭ無線技術を使用する他のＲＡＮ（図示せず）と通信することもできる。
【００２３】
コアネットワーク１０６はまた、ＰＳＴＮ１０８、インターネット１１０、および／または他のネットワーク１１２にアクセスするように、ＷＴＲＵ１０２ａ、１０２ｂ、１０２ｃ、１０２ｄのためのゲートウェイとして働くことができる。ＰＳＴＮ１０８は、基本電話サービス（ＰＯＴＳ）を提供する回線交換電話ネットワークを含むことができる。インターネット１１０は、ＴＣＰ／ＩＰインターネットプロトコル群における伝送制御プロトコル（ＴＣＰ）、ユーザデータグラムプロトコル（ＵＤＰ）、およびインターネットプロトコル（ＩＰ）などの共通通信プロトコルを用いる、相互接続されたコンピュータネットワークおよびデバイスの地球規模のシステムを含むことができる。ネットワーク１１２は、他のサービスプロバイダによって所有および／または運用される有線もしくは無線通信ネットワークを含むことができる。例えばネットワーク１１２は、ＲＡＮ１０４と同じＲＡＴまたは異なるＲＡＴを使用することができる１つまたは複数のＲＡＮに接続された、他のコアネットワークを含むことができる。
【００２４】
通信システム１００内のＷＴＲＵ１０２ａ、１０２ｂ、１０２ｃ、１０２ｄのいくつかまたはすべては、マルチモード能力を含むことができ、すなわちＷＴＲＵ１０２ａ、１０２ｂ、１０２ｃ、１０２ｄは、異なる無線リンクを通して異なる無線ネットワークと通信するための複数のトランシーバを含むことができる。例えば図１Ａに示されるＷＴＲＵ１０２ｃは、セルラベースの無線技術を使用することができる基地局１１４ａと、およびＩＥＥＥ  ８０２無線技術を使用することができる基地局１１４ｂと、通信するように構成され得る。
【００２５】
図１Ｂは、例示のＷＴＲＵ１０２のシステム図である。図１Ｂに示されるようにＷＴＲＵ１０２は、プロセッサ１１８、トランシーバ１２０、送受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および他の周辺装置１３８を含むことができる。ＷＴＲＵ１０２は、実施形態と一致したままで、上記の要素の任意のサブコンビネーションを含み得ることが理解されるであろう。
【００２６】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連した１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入力／出力処理、および／またはＷＴＲＵ１０２が無線環境において動作することを可能にする任意の他の機能を行うことができる。プロセッサ１１８はトランシーバ１２０に結合されることができ、これは送受信要素１２２に結合され得る。図１Ｂはプロセッサ１１８およびトランシーバ１２０を個別の構成要素として示すが、プロセッサ１１８およびトランシーバ１２０は、電子回路パッケージまたはチップ内に一緒に一体化され得ることが理解されるであろう。
【００２７】
送受信要素１２２は、エアインターフェイス１１６を通して、基地局（例えば基地局１１４ａ）に信号を送信し、またはそれから信号を受信するように構成され得る。例えば一実施形態において送受信要素１２２は、ＲＦ信号を送信および／または受信するように構成されたアンテナとすることができる。他の実施形態において送受信要素１２２は、例えばＩＲ、ＵＶ、または可視光信号を送信および／または受信するように構成された放射器／検出器とすることができる。他の実施形態では送受信要素１２２は、ＲＦおよび光信号の両方を送信および受信するように構成され得る。送受信要素１２２は、無線信号の任意の組み合わせを、送信および／または受信するように構成され得ることが理解されるであろう。
【００２８】
さらに図１Ｂでは送受信要素１２２は単一の要素として示されるが、ＷＴＲＵ１０２は任意の数の送受信要素１２２を含むことができる。より具体的にはＷＴＲＵ１０２は、ＭＩＭＯ技術を使用することができる。従って一実施形態においてＷＴＲＵ１０２は、エアインターフェイス１１６を通して無線信号を送信および受信するための、２つ以上の送受信要素１２２（例えば複数のアンテナ）を含むことができる。
【００２９】
トランシーバ１２０は、送受信要素１２２によって送信されることになる信号を変調するように、および送受信要素１２２によって受信された信号を復調するように構成され得る。上記のようにＷＴＲＵ１０２は、マルチモード能力を有することができる。従ってトランシーバ１２０は、ＷＴＲＵ１０２が例えばＵＴＲＡおよびＩＥＥＥ  ８０２．１１などの複数のＲＡＴを通じて通信することを可能にするための、複数のトランシーバを含むことができる。
【００３０】
ＷＴＲＵ１０２のプロセッサ１１８は、スピーカ／マイクロフォン１２４、キーパッド１２６、および／またはディスプレイ／タッチパッド１２８（例えば液晶表示（ＬＣＤ）ディスプレイユニット、または有機発光ダイオード（ＯＬＥＤ）ディスプレイユニット）に結合されることができ、それらからユーザ入力データを受信することができる。プロセッサ１１８はまたユーザデータを、スピーカ／マイクロフォン１２４、キーパッド１２６、および／またはディスプレイ／タッチパッド１２８に出力することができる。さらにプロセッサ１１８は、非リムーバブルメモリ１３０および／またはリムーバブルメモリ１３２などの任意のタイプの適切なメモリからの情報にアクセスし、それにデータを記憶することができる。非リムーバブルメモリ１３０は、ランダムアクセスメモリ（ＲＡＭ）、読み出し専用メモリ（ＲＯＭ）、ハードディスク、または任意の他のタイプのメモリ記憶デバイスを含むことができる。リムーバブルメモリ１３２は、加入者識別モジュール（ＳＩＭ）カード、メモリスティック、セキュアデジタル（ＳＤ）メモリカードなどを含むことができる。他の実施形態においてプロセッサ１１８は、サーバまたはホームコンピュータ（図示せず）上など、ＷＴＲＵ１０２上に物理的に位置しないメモリからの情報にアクセスし、それにデータを記憶することができる。
【００３１】
プロセッサ１１８は、電源１３４から電力を受け取ることができ、ＷＴＲＵ１０２内の他の構成要素に対する電力を分配および／または制御するように構成され得る。電源１３４は、ＷＴＲＵ１０２に電力供給するための任意の適切なデバイスとすることができる。例えば電源１３４は、１つまたは複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉイオン）など）、太陽電池、燃料電池などを含むことができる。
【００３２】
プロセッサ１１８はまたＧＰＳチップセット１３６に結合されることができ、これはＷＴＲＵ１０２の現在位置に関する位置情報（例えば経度および緯度）を提供するように構成され得る。ＧＰＳチップセット１３６からの情報に加えてまたはその代わりに、ＷＴＲＵ１０２はエアインターフェイス１１６を通して、基地局（例えば基地局１１４ａ、１１４ｂ）から位置情報を受信することができ、および／または２つ以上の近くの基地局から受信される信号のタイミングに基づいてその位置を決定することができる。ＷＴＲＵ１０２は、実施形態と一致したままで、任意の適切な位置決定方法によって位置情報を取得できることが理解されるであろう。
【００３３】
プロセッサ１１８はさらに、さらなる特徴、機能、および／または有線もしくは無線接続性を提供する１つまたは複数のソフトウェアおよび／またはハードウェアモジュールを含み得る他の周辺装置１３８に、結合され得る。例えば周辺装置１３８は、加速度計、電子コンパス、衛星トランシーバ、デジタルカメラ（写真またはビデオ用）、ユニバーサルシリアルバス（ＵＳＢ）ポート、振動デバイス、テレビ送受信機、ハンズフリーヘッドセット、ブルートゥース（登録商標）モジュール、周波数変調（ＦＭ）ラジオユニット、デジタル音楽プレーヤ、メディアプレーヤ、ビデオゲームプレーヤモジュール、インターネットブラウザなどを含むことができる。
【００３４】
図１Ｃは、実施形態によるＲＡＮ１０４およびコアネットワーク１０６のシステム図である。上記のようにＲＡＮ１０４は、Ｅ−ＵＴＲＡ無線技術を使用して、エアインターフェイス１１６を通してＷＴＲＵ１０２ａ、１０２ｂ、１０２ｃと通信することができる。ＲＡＮ１０４はまた、コアネットワーク１０６と通信することができる。
【００３５】
ＲＡＮ１０４はｅノードＢ１４０ａ、１４０ｂ、１４０ｃを含むことができるが、ＲＡＮ１０４は、実施形態と一致したままで、任意の数のｅノードＢを含み得ることが理解されるであろう。ｅノードＢ１４０ａ、１４０ｂ、１４０ｃはそれぞれ、エアインターフェイス１１６を通してＷＴＲＵ１０２ａ、１０２ｂ、１０２ｃと通信するための、１つまたは複数のトランシーバを含むことができる。一実施形態においてｅノードＢ１４０ａ、１４０ｂ、１４０ｃは、ＭＩＭＯ技術を実施することができる。従ってｅノードＢ１４０ａは、例えば複数のアンテナを用いてＷＴＲＵ１０２ａに無線信号を送信し、それから無線信号を受信することができる。
【００３６】
ｅノードＢ１４０ａ、１４０ｂ、１４０ｃのそれぞれは、特定のセル（図示せず）に関連付けられることができ、無線リソース管理決定、ハンドオーバ決定、アップリンクおよび／またはダウンリンクにおけるユーザのスケジューリングなどを取り扱うように構成され得る。図１Ｃに示されるようにｅノードＢ１４０ａ、１４０ｂ、１４０ｃは、Ｘ２インターフェイスを通して互いに通信することができる。
【００３７】
図１Ｃに示されるコアネットワーク１０６は、モビリティ管理エンティティゲートウェイ（ＭＭＥ）１４２、サービングゲートウェイ１４４、およびパケットデータネットワーク（ＰＤＮ）ゲートウェイ１４６を含むことができる。上記の要素のそれぞれはコアネットワーク１０６の一部として示されるが、これらの要素のいずれの１つも、コアネットワークオペレータ以外のエンティティによって所有および／または運用され得ることが理解されるであろう。
【００３８】
ＭＭＥ１４２は、Ｓ１インターフェイスを通じてＲＡＮ１０４内のｅノードＢ１４０ａ、１４０ｂ、１４０ｃのそれぞれに接続されることができ、制御ノードとして働くことができる。例えばＭＭＥ１４２は、ＷＴＲＵ１０２ａ、１０２ｂ、１０２ｃのユーザを認証すること、ベアラ活動化／非活動化、ＷＴＲＵ１０２ａ、１０２ｂ、１０２ｃの初期アタッチ時に特定のサービングゲートウェイを選択することなどを受け持つことができる。ＭＭＥ１４２はまた、ＲＡＮ１０４と、ＧＳＭまたはＷＣＤＭＡなどの他の無線技術を使用する他のＲＡＮ（図示せず）との間で切り換えるための、制御プレーン機能を提供することができる。
【００３９】
サービングゲートウェイ１４４は、Ｓ１インターフェイスを通じてＲＡＮ１０４内のｅノードＢ１４０ａ、１４０ｂ、１４０ｃのそれぞれに接続され得る。サービングゲートウェイ１４４は一般に、ＷＴＲＵ１０２ａ、１０２ｂ、１０２ｃへのまたはそれらからのユーザデータパケットを、経路指定および転送することができる。サービングゲートウェイ１４４はまた、ｅノードＢ間ハンドオーバ時にユーザプレーンをアンカリングすること、ＷＴＲＵ１０２ａ、１０２ｂ、１０２ｃのためのダウンリンクデータが使用可能であるときにページングをトリガすること、ＷＴＲＵ１０２ａ、１０２ｂ、１０２ｃのコンテキストを管理および記憶することなどの他の機能を行うことができる。
【００４０】
サービングゲートウェイ１４４はまた、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに提供することができる、ＰＤＮゲートウェイ１４６に接続され得る。
【００４１】
コアネットワーク１０６は、他のネットワークとの通信を容易にすることができる。例えばコアネットワーク１０６は、ＷＴＲＵ１０２ａ、１０２ｂ、１０２ｃと従来型の陸線通信デバイスとの間の通信を容易にするために、ＰＳＴＮ１０８などの回線交換ネットワークへのアクセスをＷＴＲＵ１０２ａ、１０２ｂ、１０２ｃに提供することができる。例えばコアネットワーク１０６は、コアネットワーク１０６とＰＳＴＮ１０８との間のインターフェイスとして働くＩＰゲートウェイ（例えばＩＰマルチメディアサブシステム（ＩＭＳ）サーバ）を含むことができ、またはそれと通信することができる。さらにコアネットワーク１０６はＷＴＲＵ１０２ａ、１０２ｂ、１０２ｃに、他のサービスプロバイダによって所有および／または運用される他の有線もしくは無線ネットワークを含み得るネットワーク１１２への、アクセスを提供することができる。
【００４２】
他のネットワーク１１２はさらに、ＩＥＥＥ  ８０２．１１をベースとする無線ローカルエリアネットワーク（ＷＬＡＮ）１６０に接続され得る。ＷＬＡＮ１６０は、アクセスルータ１６５を含むことができる。アクセスルータは、ゲートウェイ機能を含むことができる。アクセスルータ１６５は、複数のアクセスポイント（ＡＰ）１７０ａ、１７０ｂと通信することができる。アクセスルータ１６５とＡＰ１７０ａ、１７０ｂとの間の通信は、有線イーサネット（ＩＥＥＥ  ８０２．３標準）、または任意のタイプの無線通信プロトコルを通じたものとすることができる。ＡＰ１７０ａは、エアインターフェイスを通してＷＴＲＵ１０２ｄと無線通信する。
【００４３】
ＬＴＥシステムなどの無線通信システムが成熟し、それらのネットワーク展開が発展するのに従って、ネットワークオペレータにとっては、通信ネットワークのコスト、通信ネットワークの保守の必要性、またはその両方を低減することが有益となり得る。ネットワークのコストを低減するための１つの技法は、デバイスと通信するために用いられるチャネル帯域幅およびデータレートを低減することであり得る。例えばこのようなデバイスと通信するとき、チャネル帯域幅全体ではなくチャネル帯域幅の一部分が、ネットワーク内のデバイスおよび／またはネットワーク自体によってサポートされ得る。現在の無線通信システム、例えばＬＴＥは最近、マシンタイプ通信（ＭＴＣ）デバイスを含むいくつかのデバイスに対する、一定のレベル例えば１．４メガヘルツ（ＭＨｚ）までの帯域幅低減を検討してきている。例えばＬＴＥはすでに１．４ＭＨｚのシステム帯域幅による動作をサポートし得るので、検討されるレベルは、レガシーシステムとのより多くの適合性を可能にすることができ、新規設計の時間および／またはコストを低減することができる。しかし例えばコストをさらに低減するために、いくつかのデバイス例えばスマートウオッチおよびアラームに対して、さらなる帯域幅低減が望ましくなり得る。例えば２００キロヘルツ（ｋＨｚ）程度の、帯域幅のさらなる低減が提案されている。レガシーシステム動作との適合性が低くなり得る低減帯域幅による動作をサポートするために、さらなるシステム設計が必要となり得る。
【００４４】
低減帯域幅（ＢＷ）ＷＴＲＵは、一定の制限ＢＷ、例えばＲＦ  ＢＷ、またはＷＴＲＵがそれと通信し得るｅノードＢまたはセルのＢＷとは独立となり得る、ダウンリンク（ＤＬ）および／またはアップリンク（ＵＬ）における一定の制限された数のリソースブロック（ＲＢ）をサポートし得る、またはそれらのみをサポートし得るＷＴＲＵとすることができる。例えば制限ＢＷ  ＷＴＲＵとも呼ばれ得る低減ＢＷ  ＷＴＲＵは、送信および／または受信のために、一定の数のＲＢ、例えば６つのＲＢもしくは１つのＲＢ、または一定のＢＷ、例えば１．４ＭＨｚもしくは１８０ＫＨｚをサポートすることができ、またはそれらのみをサポートすることができる。このようなＷＴＲＵは、それに対してＢＷがより大きく、例えば２０ＭＨｚまたは１００ＲＢになり得る、ｅノードＢまたはセルと通信することができる。
【００４５】
拡張マシンタイプ通信（ｅＭＴＣ）ＷＴＲＵは、第１の数のＲＢおよび／または第１の帯域幅のＢＷをサポートし得る制限ＢＷ  ＷＴＲＵとなり得る。第１の数はＮ１で表されることができ、第１の帯域幅はＢ１で表され得る。Ｎ１は例えば６とすることができ、Ｂ１は例えば１．４ＭＨｚとすることができる。例において６個のＲＢは、１．４ＭＨｚのＢＷに対応し得る。ｅＭＴＣ  ＷＴＲＵは、制限ＢＷ  ＷＴＲＵの非限定的な例を表すために用いられ得る。狭帯域ＬＴＥ（ＮＢ−ＬＴＥ）または狭帯域インターネットオブシングス（ＮＢ−ＩｏＴ）ＷＴＲＵと呼ばれ得る別のＷＴＲＵは、第２の数のＲＢおよび／または第２の帯域幅のＢＷをサポートし得る制限ＢＷ  ＷＴＲＵとすることができる。第２の数はＮ２で表されることができ、第２の帯域幅はＢ２で表され得る。Ｎ２はＮ１未満とすることができる。Ｂ２はＢ１未満とすることができる。Ｎ２は例えば１とすることができ、Ｂ２例えば１８０ＫＨｚとすることができる。例において１つのＲＢは、１８０ＫＨｚのＢＷに対応し得る。ＮＢ−ＬＴＥ  ＷＴＲＵおよび／またはＮＢ−ＩｏＴ  ＷＴＲＵは、制限ＢＷ  ＷＴＲＵの非限定的な例を表すために用いられ得る。狭帯域（ＮＢ）ＷＴＲＵは、ＷＴＲＵまたは制限ＢＷ  ＷＴＲＵの非限定的な例を表すために用いられ得る。ＷＴＲＵ、制限ＢＷ  ＷＴＲＵ、ＢＷ制限ＷＴＲＵ、低減ＢＷ  ＷＴＲＵ、制限能力ＷＴＲＵ、低コストＭＴＣ（ＬＣ−ＭＴＣ）ＷＴＲＵ、低複雑度ＷＴＲＵ、ＭＴＣ  ＷＴＲＵ、ｅＭＴＣ  ＷＴＲＵ、ＮＢ−ＩｏＴ  ＷＴＲＵ、ｅＭＴＣ、ＮＢ−ＩｏＴ、およびＮＢ  ＷＴＲＵは、本明細書では同義的に用いられ得る。ＲＢは物理ＲＢ（ＰＲＢ）とすることができる。ＲＢおよびＰＲＢという用語は、本明細書では同義的に用いられ得る。
【００４６】
制限ＢＷ  ＷＴＲＵは、セルの全ＢＷの一部分において動作するための特別の手順を用い得る、または必要とし得る。低減帯域幅、制限帯域幅、および帯域幅制限は、本明細書では同義的に用いられ得る。セルの全ＢＷをサポートすることができるＷＴＲＵは、全ＢＷ  ＷＴＲＵと呼ばれ得る。ＢＷは、いくつかのＲＢ、および／または帯域の中心などの帯域内の位置を含み得る。
【００４７】
ＷＴＲＵは少なくともときには、全ＢＷ  ＷＴＲＵのそれと一致し得る例えば少なくとも部分的に一致し得るやり方で通信、機能、または動作することができ、およびまた少なくともときには、例えば全ＢＷ  ＷＴＲＵとして動作するとき以外のいくつかの時点で、低減ＢＷ  ＷＴＲＵのそれと一致し得る例えば少なくとも部分的に一致し得るやり方で通信、機能、または動作することができる。例えばセルの全ＢＷをサポートし得るＷＴＲＵは、それがカバレッジ制限となり得るときまたはそれがカバレッジ拡張モードで動作し得るときなどのいくつかの時点で、低減ＢＷ  ＷＴＲＵのそれと一致し得る例えば少なくとも部分的に一致し得るやり方で通信、機能、または動作することができる。この例示のＷＴＲＵなどのＷＴＲＵは、ときには全ＢＷ  ＷＴＲＵ、および／またはときには例えば他の時点で、低減ＢＷ  ＷＴＲＵとなり得るまたはそのように考えられ得る。
【００４８】
ＷＴＲＵは、低減ＢＷ  ＷＴＲＵのように、例えば少なくとも部分的にそのように機能または動作することができる、する必要があり得る、またはすることを意図し得る場合、低減ＢＷ  ＷＴＲＵとなり得るまたはそのように考えられ得る。例えば少なくともときには、ＷＴＲＵが低減ＢＷ  ＷＴＲＵのそれと一致し得る例えば少なくとも部分的に一致し得るやり方で通信、機能、または動作し得るときなど、低減ＢＷ  ＷＴＲＵと一致し得るまたは例えば少なくとも部分的に一致し得るやり方で、例えばｅノードＢと通信、機能、または動作し得るＷＴＲＵは、低減ＢＷ  ＷＴＲＵとなり得るまたはそのように考えられ得る。
【００４９】
ｅＮＢ、ｅノードＢ、およびセルという用語は、本明細書では同義的に用いられ得ることが留意されるべきである。低減ＢＷ  ＷＴＲＵに対して述べられる実施形態および例は、カバレッジ制限ＷＴＲＵに適用されることでき、逆も同様である。
【００５０】
カバレッジ制限および低減ＢＷ  ＷＴＲＵは、本明細書で述べられる例示の方法および手順を用いることができるＷＴＲＵの例である。これらのカバレッジ制限および低減ＢＷ  ＷＴＲＵは、このような例示のＷＴＲＵの非限定的な例である。任意の種類のＷＴＲＵへの任意の能力または低減された能力の適用は、本明細書で述べられる例示の方法および手順と依然として一致し得る。
【００５１】
物理ダウンリンク制御チャネル（ＰＤＣＣＨ）という用語は、拡張ＰＤＣＣＨ（ＥＰＤＣＣＨ）、マシンタイプ通信（ＭＴＣ）物理ダウンリンク制御チャネル（Ｍ−ＰＤＣＣＨ）、または他のＤＬ制御チャネルによって置き換えられることができ、逆も同様であり、本明細書で述べられる例示の方法および手順と依然として一致し得る。コンポーネントキャリア（ＣＣ）およびサービングセルという用語は、本明細書では同義的に用いられ得る。ＷＴＲＵ、ＷＴＲＵ媒体アクセス制御（ＭＡＣ）エンティティ、およびＭＡＣエンティティという用語は、本明細書では同義的に用いられ得る。
【００５２】
ＷＴＲＵ、一定のＷＴＲＵ、またはいくつかのＷＴＲＵという用語は、少なくともＷＴＲＵ、少なくとも一定のＷＴＲＵ、または少なくともいくつかのＷＴＲＵによって置き換えられることができ、本明細書で述べられる例示の方法および手順と依然として一致し得る。「を意図する」という語句は、「を少なくとも意図する」、または「少なくとも、を意図する」によって置き換えられることができ、本明細書で述べられる例示の方法および手順と依然として一致し得る。
【００５３】
本明細書で述べられる例示の方法および手順は、ランダムアクセス応答（ＲＡＲ）、ページングチャネル（ＰＣＨ）、またはＲＡＲもしくはＰＣＨを運ぶもしくは運び得る物理ダウンリンク共有チャネル（ＰＤＳＣＨ）に対して述べられ得る。これらは非限定的な例として用いられる。ＲＡＲは、ＰＣＨまたはＰＣＨ  ＰＤＳＣＨによって置き換えられることができ、逆も同様であり、本明細書で述べられる例示の方法および手順と依然として一致し得る。ＰＤＳＣＨによって運ばれるチャネルまたは他の内容は、任意のチャネルまたは内容で置き換えられることができ、本明細書で述べられる例示の方法および手順と依然として一致し得る。
【００５４】
カバレッジ拡張（ＣＥ）が関わる例示の方法および手順が、本明細書で開示される。カバレッジ拡張ＷＴＲＵは、カバレッジ拡張を必要とし得るＷＴＲＵ、またはカバレッジ拡張技法を使用し得る、もしくはＣＥモードをサポートし得るＷＴＲＵとすることができる。カバレッジ制限ＷＴＲＵおよびカバレッジ拡張ＷＴＲＵという用語は、本明細書では同義的に用いられ得る。ＣＥは、例えば低いデータレート用途のために、カバレッジを延長するまたは改善することを指すことができる。ＣＥは例えば、単一の受信器を使用するデバイス、または低減帯域幅を用いるデバイスなど、低減された能力を有するデバイスとの通信を可能にするために、カバレッジを延長するまたは改善することを指すことができる。ＣＥは例えば、透過損失が通信を妨げ得る屋内デバイスまたは地下におけるデバイスなど、それに対する通信が妨害され得るデバイスとの通信を可能にするために、カバレッジを延長するまたは改善することを指すことができる。少なくともいくつかの例においてＣＥは、データレートを低減することによってカバレッジを延長するまたは改善することが関わり得る。少なくともいくつかの例においてＣＥは、反復技法を使用することによってカバレッジを延長するまたは改善することが関わり得る。少なくともいくつかの例においてＣＥは、ＭＴＣ用途に用いられ得る。少なくともいくつかの例においてＣＥは、ＮＢまたはＮＢ−ＩｏＴ用途のために用いられ得る。ＣＥ動作およびカバレッジ拡張動作という用語は、本明細書では同義的に用いられ得る。
【００５５】
ＣＥのために、物理チャネルの反復送信が用いられ得る。例えば意図されたカバレッジ改善を達成するために必要となり得るまたは用いられ得る反復の数に基づいて、ＣＥレベルが決定され得る。反復数、反復の数、反復レベル、およびＣＥレベルという用語は、本明細書では同義的に用いられ得る。
【００５６】
ＣＥモードは、１つまたは複数のＣＥレベル、または例えば反復レベルを有して用いられ得る。ＣＥモードにおいてサポートされるＣＥレベルまたは反復レベルは、動的に変化され得る。
【００５７】
ｅＭＴＣ  ＷＴＲＵは、例えば低コストＷＴＲＵとすることができる。ｅＭＴＣ  ＷＴＲＵは、例えば制限または低減された能力を有するＷＴＲＵとすることができる。制限または低減された能力は、制限または低減されたＢＷ能力、例えば６つのＲＢを用いたＢＷ、低スループット性能、および受信器における単一のＲＦチェーンの少なくとも１つを含むことができる。ｅＭＴＣ  ＷＴＲＵは、遅延許容とすることができる。ｅＭＴＣ  ＷＴＲＵは、例えば１．４ＭＨｚのＢＷとすることができるｅＭＴＣサポート可能ＢＷより大きなシステムＢＷをもってもよくもたなくてもよいＬＴＥネットワークにおいてサーブされ得る。
【００５８】
ｅＭＴＣ  ＷＴＲＵは、カバレッジ拡張動作をサポートすることができる。例えばＣＥモードＡおよびＣＥモードＢなどの２つのＣＥ動作モードがサポートされ得る。ＣＥモードＡでは標準および小さなＣＥレベルがサポートされることができ、ＣＥモードＢでは中程度および大きなＣＥレベルがサポートされ得る。標準ＣＥは標準動作、または例えばＣＥに対する反復の使用が関わり得ないＣＥなしと同じとすることができる。
【００５９】
ＮＢ−ＩｏＴ  ＷＴＲＵは、例えば低コストＷＴＲＵとすることができる。ＮＢ−ＩｏＴ  ＷＴＲＵは例えば、例えば少なくとも１つの側面においてｅＭＴＣ  ＷＴＲＵの能力と比べて、より制限または低減され得る、制限または低減された能力を有するＷＴＲＵとすることができる。例えばＮＢ−ＩｏＴ  ＷＴＲＵはさらに低減されたＢＷ、例えばｅＭＴＣ  ＷＴＲＵにとってサポート可能なＢＷより小さくなり得る、１つのＲＢのＢＷをサポートするまたは用いることができる。
【００６０】
ＮＢ−ＩｏＴ  ＷＴＲＵは、ｅＭＴＣ  ＷＴＲＵの意図されるまたは予期される電池寿命より長くなり得る電池寿命を有する、ＣＥ、例えば２０デシベル（ｄＢ）までのＣＥをサポートすることができ、またはそのように意図され得る。ＮＢ−ＩｏＴ  ＷＴＲＵは、１０年などの電池寿命をサポートすることが意図されまたは予期され得る。セル内のＮＢ−ＩｏＴ  ＷＴＲＵのポピュレーションは、他のタイプのデバイスより著しく大きくなり得る。
【００６１】
ページングの例示の方法および手順が、本明細書で論じられる。本明細書で用いられるページングとは、ネットワークにより開始される接続セットアップを指すことができる。本明細書で用いられるページングとは、システム情報変更情報または警報システム情報、例えば地震津波警報システム（ＥＴＷＳ）情報などの情報を、例えば間欠受信（ＤＲＸ）などの電池節約のための技法を用いることができる１つまたは複数のＷＴＲＵに提供するために、ネットワークが用い得る機構を指すことができる。いくつかの例においてページングは、ＷＴＲＵがアイドルモードであるときに用いられ得る。他の例においてページングは、ＷＴＲＵが接続モードであるときに用いられ得る。ＷＴＲＵは、例えばアイドルモードおよび／または接続モードで、ページング無線ネットワーク一時識別子（Ｐ−ＲＮＴＩ）でマスクされたＰＤＣＣＨ上のＤＬ制御情報（ＤＣＩ）またはＤＬ割り当てに対して、ＰＤＣＣＨを例えば定期的に監視することができる。ＷＴＲＵがＰ−ＲＮＴＩを用いたＤＣＩまたはＤＬ割り当てを検出または受信したとき、ＷＴＲＵは、関連付けられたもしくは示されたＰＤＳＣＨ  ＲＢを復調することができ、および／または関連付けられたもしくは示されたＰＤＳＣＨ上で運ばれ得るページングチャネル（ＰＣＨ）を復号することができる。ＰＣＨを運ぶことができるＰＤＳＣＨは、ＰＣＨ  ＰＤＳＣＨと呼ばれ得る。ページング、ページングメッセージ、およびＰＣＨという用語は、本明細書では同義的に用いられ得る。本明細書で用いられるダウンリンク制御チャネル、ＮＢ  ＷＴＲＵのためのＤＬ制御チャネル、Ｍ−ＰＤＣＣＨ、ＰＤＣＣＨ、ＮＢ  ＰＤＣＣＨ（ＮＢ−ＰＤＣＣＨ）、インターネットオブシングスＰＤＣＣＨ（ＩｏＴ−ＰＤＣＣＨ）、およびＮＢ  ＩｏＴ−ＰＤＣＣＨ（ＮＢ−ＩｏＴ−ＰＤＣＣＨ）という用語は、同義的に用いられ得る。
【００６２】
ＷＴＲＵが例えばアイドルモードでページングチャネルに対して監視することができるページングフレーム（ＰＦ）、およびそのＰＦ内のサブフレーム例えばページングオケージョン（ＰＯ）は、ＷＴＲＵ識別子（ＩＤ）例えばＷＴＲＵ＿ＩＤまたはＵＥ＿ＩＤ、およびネットワークによって指定され得るパラメータに基づいて決定され得る。パラメータは、例えば間欠受信（ＤＲＸ）サイクルと同じとすることができる、フレーム数でのページングサイクル（ＰＣ）長さ、および別のパラメータ、例えばそれらが一緒にＰＣ当たりのＰＦの数、およびセル内に存在し得るＰＦ当たりのＰＯの数の決定を可能にし得るｎＢを含むことができる。例においてＷＴＲＵ  ＩＤは、ＷＴＲＵ国際移動体加入者識別番号（ＩＭＳＩ）  ｍｏｄ  １０２４とすることができる。ＷＴＲＵ  ＩＤ、ＷＴＲＵ−ＩＤ、およびＷＴＲＵ＿ＩＤという用語は、本明細書では同義的に用いられ得る。
【００６３】
ネットワークの観点から、ページングサイクル当たり複数のＰＦが存在することができ、ＰＦ内の複数のＰＯ、例えばページングサイクル当たり２つ以上のサブフレームが、Ｐ−ＲＮＴＩでマスクされたＰＤＣＣＨを運び得る。さらにＷＴＲＵの観点から、ＷＴＲＵはページングサイクル当たりのＰＯを監視することができ、このようなＰＯは本明細書で指定されるパラメータに基づいて決定されることができ、これはシステム情報、専用シグナリング情報などを通じてＷＴＲＵに提供され得る。ＰＯは、１つまたは複数のＷＴＲＵのためのページを含むことができ、またはそれらはＷＴＲＵのそれぞれ、複数のＷＴＲＵ、またはすべてのＷＴＲＵに向けられ得るシステム情報変化ページを含むことができる。アイドルモードにおいてＷＴＲＵは、着信コールまたはシステム情報更新変化などの理由に対するページを受信することができる。
【００６４】
接続モードにおいてＷＴＲＵは、例えばシステム情報変化に関連するページを受信することができ、ＷＴＲＵは、着信コールのために用いられ得るものなどのＷＴＲＵ固有ページを受信することはできない。従って接続モードでのＷＴＲＵは、特定のＰＯを監視することはできない。さらに、周波数分割複信（ＦＤＤ）に対してＰＯサブフレームは、サブフレーム０、４、５、および９などの一定のサブフレームに限定されることができ、および／または時分割複信（ＴＤＤ）に対してＰＯサブフレームは、サブフレーム０、１、５、および６などの一定のサブフレームに限定され得る。
【００６５】
本明細書で用いられるＤＲＸとは、一定の時点において例えばサイクルの間の一定の時点においてのみ、ＷＴＲＵがＤＬ制御シグナリングまたはＤＬ制御チャネルに対して監視することを指すことができる。例えばＤＲＸを用いるＷＴＲＵは、一定の期間の間、例えば一定の期間の間にのみＤＬ制御チャネルに対して監視することができる。他の期間の間ＷＴＲＵは、それの受信器回路の少なくとも一部をスイッチオフし、電力消費を低減することができる。期間は、例えばサブフレームとすることができる。ＤＲＸを用いた動作のための例示の方法が、本明細書で論じられる。
【００６６】
アイドルモード、例えば無線リソース制御（ＲＲＣ）アイドルモードおよび／またはｅｖｏｌｖｅｄパケットシステム（ＥＰＳ）接続管理（ＥＣＭ）アイドルモードにおいて、ＷＴＲＵは着信コール、システム情報変化、地震津波警報システム（ＥＴＷＳ）能力を有するＷＴＲＵに対するＥＴＷＳ通知、商用モバイル警報サービス（ＣＭＡＳ）通知、および拡張アクセス禁止（ＥＡＢ）パラメータ変更の１つまたは複数について知るために、ページングメッセージに対して監視またはリスンすることができる。
【００６７】
ＷＴＲＵは、例えばＷＴＲＵのためのページが存在し得ないときに電池消費を低減ために、Ｐ−ＲＮＴＩのためのＰＤＣＣＨを不連続的に監視することができる。ＤＲＸは、ＰＤＣＣＨを不連続的に監視するためのプロセスを含んでも含まなくてもよい。アイドルモードにおいてＤＲＸは、例えばＲＲＣアイドル状態の間にページングメッセージを監視またはリスンするための、Ｐ−ＲＮＴＩに対してＰＤＣＣＨを不連続的に監視するプロセスとすることができまたはそのプロセスを含むことができる。
【００６８】
アイドルモード、アイドル状態、ＲＲＣアイドルモード、ＲＲＣアイドル状態、およびＲＲＣ＿ＩＤＬＥモードまたは状態という用語は、本明細書では同義的に用いられ得る。ＲＲＣアイドルおよびＥＣＭアイドルという用語は、本明細書では同義的に用いられ得る。ＤＲＸはまた、接続モードにおいてイネーブルされおよび／または用いられ得る。接続モードのときＤＲＸが構成された場合、ＭＡＣエンティティは、例えばＤＲＸ動作を用いてＰＤＣＣＨを不連続的に監視することができる。接続モード、接続状態、およびＲＲＣ＿ＣＯＮＮＥＣＴＥＤモードまたは状態という用語は、本明細書では同義的に用いられ得る。
【００６９】
アイドルモードＤＲＸでの動作の例が、本明細書で論じられる。ＷＴＲＵは、例えばＳＩＢ２などのシステム情報ブロック（ＳＩＢ）においてブロードキャストされ得る１つまたは複数のＤＲＸパラメータを用いて、ページングに対して監視するためのＰＦおよび／またはＰＯを決定することができる。あるいは例えばＷＴＲＵは、例えば非アクセス層（ＮＡＳ）シグナリングを通してＭＭＥによって、ＷＴＲＵにシグナリングされ得る１つまたは複数のＷＴＲＵ固有ＤＲＸサイクルパラメータを用いることができる。
【００７０】
表１は例示の範囲、および例えばｅノードＢまたはＭＭＥなどの、ＤＲＸパラメータの例示の発信元を含む、ＤＲＸパラメータの例を提供する。
【００７１】
【表１】
2020108153.tif 000003
【００７２】
ＷＴＲＵのＤＲＸサイクルＴは、ページングサイクル内の無線フレームの数を示すことができる。より大きなＴの値は、結果としてより少ないＷＴＲＵ電池電力消費となり得る。より小さなＴの値は、ＷＴＲＵ電池電力消費を増加し得る。ＤＲＸサイクルは、セル固有またはＷＴＲＵ固有とすることができる。
【００７３】
ｅノードＢによって提供されるＤＲＸサイクルは、セル固有とすることができ、セル内の少なくともいくつかの、例えばすべてのＷＴＲＵに提供され得る。ｅノードＢによって提供され得るＤＲＸサイクルは、デフォルトページングサイクルとすることができる。ＭＭＥによって提供されるＤＲＸサイクルは、ＷＴＲＵ固有とすることができる。ＷＴＲＵはそのＤＲＸまたはページングサイクルとして、デフォルトページングサイクルと、ＷＴＲＵ固有ＤＲＸサイクルとの小さい方を用いることができる。ＭＭＥはＷＴＲＵ固有ＤＲＸサイクルをＷＴＲＵに、ＮＡＳシグナリングを用いて例えば「ＷＴＲＵ固有ＤＲＸサイクル」として提供することができる。ＭＭＥはＷＴＲＵ固有ＤＲＸサイクルをｅノードＢに、ページングＳ１  ＡＰメッセージ内で例えば「ページングＤＲＸ」として、ＷＴＲＵを対象とし得る、ＭＭＥにより開始されるページングメッセージのために提供することができる。
【００７４】
ＷＴＲＵおよび／またはｅノードＢは、デフォルトとＷＴＲＵ固有ＤＲＸサイクルとの最小を用いることができる。例えば無線フレームにおいてＴ＝Ｍｉｎ（ＴWTRU，ＴCELL）である。Ｎ個（例えば１２８個）の無線フレームのＤＲＸサイクルを有するＷＴＲＵは、Ｎ×フレーム時間ごとに（例えば１０ｍｓのフレーム時間に対して１．２８秒ごとに）ウェイクアップすることでき、またはウェイクアップしてページングメッセージを探すことが必要となり得る。
【００７５】
パラメータｎＢは、セル固有ＤＲＸサイクル内のページングオケージョンまたはＰＯの数を示すことができる。パラメータは、セル固有となり得る。ｎＢ値の構成は、セル内で望ましくなり得るまたは用いられ得るページング容量に依存し得る。例えばページング容量を増加するために、より大きなｎＢの値が用いられ得る。例えばより小さなページング容量に対しては、より小さなｎＢの値が用いられ得る。
【００７６】
ｅノードＢおよび／またはＷＴＲＵは、ＷＴＲＵのＰＦを以下の関係に従って計算することができ、すなわちＰＦは以下の式によって与えられ、またはＳＦＮ  ｍｏｄ  Ｔ＝（Ｔ  ｄｉｖ  Ｎ）×（ＷＴＲＵ＿ＩＤ  ｍｏｄ  Ｎ）であるときに生じ、ただしＮ＝ｍｉｎ（Ｔ，ｎＢ）、およびｄｉｖは除算を表し得る。ＰＦ内のＷＴＲＵ固有ＰＯは、ページングサブフレームのセットから決定され得る。セットは、ページングのための予め規定された許容されるサブフレーム、および／または少なくともｎＢおよび／またはＴの関数となり得るＰＦ当たりのＰＯの数の関数とすることができる。システムフレーム番号（ＳＦＮ）は、０から１０２３までなどの値の範囲を有し得る。
【００７７】
接続モードＤＲＸの例が、本明細書で論じられる。接続モードにおいてＰＦおよびＰＯは、アイドルモードと同様のやり方で決定され得る。ＤＲＸサイクルパラメータは、アイドルおよび接続モードに対して異なり得る。ＷＴＲＵは、例えばシステム情報変化情報を取得するためにＰＯ、例えば接続モードでのＰＣ内の任意のＰＯを監視することができる。
【００７８】
延長ＤＲＸ（ｅＤＲＸ）が本明細書で開示される。例えばＭＴＣデバイスなどのデバイスのために、延長されたまたはより長いＤＲＸサイクルを有することが望ましくなり得る。延長されたまたはより長いＤＲＸサイクルは、遅延許容デバイスなどのいくつかのデバイスのために有用となることができ、例えば電池消費を低減する、および／またはそれらのデバイスの電池寿命を増加することができる。新たな時間単位例えばハイパーフレーム（ＨＦ）が、例えば無線フレームおよび／またはＳＦＮタイミング例えばレガシーＳＦＮタイミングの延長として、またはそれらに加えて用いられ得る。
【００７９】
図２はＨＦ、およびＨＦ内のページングを示す例示的なタイミング図である。１つのＨＦはＳＦＮサイクル、例えば１０２４個の無線フレームまたは１０．２４ｓを含むことができる。ＨＦは、ハイパーシステムフレーム番号（Ｈ−ＳＦＮ）を有することができる。Ｈ−ＳＦＮサイクルは、１０２４ＳＦＮサイクルとすることができる。Ｈ−ＳＦＮサイクルは、１０２４×１０２４×１０ｍｓ、例えば１７４．７６分持続し得る。タイミング図２００に示される例において、ＨＦ２１０はＨ−ＳＦＮ０を有することができ、無線フレーム０から無線フレーム１０２３までの１０２４個の無線フレームのＳＦＮサイクルを含むことができる。同様にＨＦ２２０はＨ−ＳＦＮ１０２３を有することができ、１０２４無線フレームのそれ自体のＳＦＮサイクルを含むことができる。Ｈ−ＳＦＮサイクル２３０はＨＦ２１０からＨＦ２２０を含む、１０２４ＨＦを含むことができる。
【００８０】
アイドルモード延長ＤＲＸ（Ｉ−ｅＤＲＸ）サイクルは、２５６個までのＨ−ＳＦＮサイクルを含むことができ、例えば２５６×１０２４×１０ｍｓ、例えば４３．６９分持続し得る。Ｈ−ＳＦＮは、セルによってブロードキャストされ得る。Ｈ−ＳＦＮは、ＳＦＮサイクル境界においてインクリメントすることができる。
【００８１】
ＷＴＲＵがページングのために到達可能となり得るＨ−ＳＦＮは、ページングハイパーフレーム（ＰＨ）、またはＷＴＲＵのＰＨと呼ばれ得る。ＰＨは、ＥＣＭ−ＩＤＬＥにおいて適用可能となることができ、またはそれにおいてのみ適用可能となり得る。ＰＨは、延長ＤＲＸサイクルおよび／またはＷＴＲＵ  ＩＤの関数として、例えばＩＭＳＩ  ｍｏｄ  １０２４として算出され得る。ＰＨ内でＰＦおよび／またはＰＯの決定は、通常のＤＲＸ規則および／または数式に従い得る。ＷＴＲＵのページングウィンドウ（ＰＷ）は、ＷＴＲＵがその間にページングに対して監視することができ、および／またはページングされ得る、ＷＴＲＵのＰＨ内のＰＦのセットに対応するウィンドウまたは時間スパンとすることができる。ＰＷは、ＰＨ内の使用可能なＰＦのサブセットを含むことができる。タイミング図２００に示される例においてＰＷ２５０は、ＰＦ２６０、ＰＦ２７０、およびＰＦ２８０を含むことができる。ＰＦ２６０、ＰＦ２７０、およびＰＦ２８０は、ＰＨ２９０内のＰＦとすることができる。ｅＤＲＸサイクル２９５は、ＰＨ２９０を含むことができる。ＰＷは、例えばＮＡＳメッセージ内でＭＭＥによって、ＷＴＲＵにシグナリングされ得る。ＰＦ内でＷＴＲＵは、１つのＰＯを監視することができ、またはそれのみを監視することができる。例えばＷＴＲＵが前のページに応答しない場合、ＷＴＲＵへのページングは、それのＰＷ内でＷＴＲＵのＰＦの１つまたは複数において反復され得る。
【００８２】
アイドルモード延長ＤＲＸの、セルのサポートは、Ｈ−ＳＦＮのブロードキャストによって暗黙的に示され得る。長いＤＲＸサイクルに対して、例えば長時間ｅノードＢにおいてページング要求を記憶することを避けるために、いつＷＴＲＵが到達可能になり得るかの何らかの認識を、ＭＭＥが有することが有用となり得る。接続モードでＤＲＸサイクルは、例えば長いＤＲＸサイクルに対して値の範囲を１０．２４秒まで延長することによって、ＳＦＮ制限まで延長され得る。
【００８３】
ＮＢ  ＷＴＲＵの大きなポピュレーションは、制限された数のページングリソース内で多重化され得る。ページングリソースの中でのＷＴＲＵの分布が、ＷＴＲＵ−ＩＤ、例えばＩＭＳＩまたはＩＭＳＩモジュロ１０２４に基づく場合、例えば時間および／または周波数での同じページングリソースを共有する、例えば同じＰＯおよび／またはページングＮＢを共有する依然として多数のＷＴＲＵが存在し得る。
【００８４】
ＮＢ  ＷＴＲＵは、ＰＯまたはそれのＰＯのそれぞれにおいて、Ｍ−ＰＤＣＣＨを監視することができる。Ｍ−ＰＤＣＣＨ、またはＭ−ＰＤＣＣＨ内のＤＣＩが、ページングメッセージのための関連付けられたＰＤＳＣＨのスケジューリングを示す場合、ＮＢ  ＷＴＲＵは例えば、ＮＢ  ＷＴＲＵを目標とするページングメッセージが存在し得るかどうかをチェックするために、関連付けられたＰＤＳＣＨを受信することができる。
【００８５】
多数のＮＢ  ＷＴＲＵが同じページングリソースを共有し得るので、ＮＢ  ＷＴＲＵは、ページングメッセージがＮＢ  ＷＴＲＵを目標とし得ないとき、関連付けられたＰＤＳＣＨを受信することができる。ＷＴＲＵを対象とし得ない関連付けられたＰＤＳＣＨを受信することは、例えばＷＴＲＵの電池消費を不必要に増加し得る。ＮＢ  ＷＴＲＵが、多数の反復を用い得るＣＥレベルにある場合、ＷＴＲＵに対する影響は、より悪く例えば著しく悪くなり得る。
【００８６】
ＮＢ  ＷＴＲＵは例えば、ＮＢ  ＷＴＲＵ固有、またはＮＢ  ＷＴＲＵグループ固有のやり方で、ＰＯ内または各ＰＯ内でＭ−ＰＤＣＣＨを監視することができる。Ｍ−ＰＤＣＣＨは、例えばＷＴＲＵまたはＷＴＲＵのグループによって、Ｍ−ＰＤＣＣＨおよび／または関連付けられたＰＤＳＣＨを受信および／または復号する必要性を、暗黙的または明示的に示すことができる。例えばＭ−ＰＤＣＣＨは、Ｍ−ＰＤＣＣＨの意図される受信側、関連付けられたＰＤＳＣＨ、ページ、ページングメッセージ、またはページングメッセージもしくはチャネルを運ぶＰＤＳＣＨを、暗黙的または明示的に示すことができる。さらにページング受信の暗黙的表示、ページング受信の必要性、またはＭ−ＰＤＣＣＨ、ＰＤＳＣＨ、ページ、ページングメッセージ、またはページングメッセージもしくはチャネルを運ぶＰＤＳＣＨの意図される受信側が使用されることができ、これは以下の１つまたは複数を用いる：スクランブリング表示；Ｍ−ＰＤＣＣＨランダム化のためのスクランブリングシーケンス、ＷＴＲＵグループ固有もしくはＷＴＲＵ固有スクランブリングシーケンス、情報タイプ固有スクランブリングシーケンス、またはページング受信のためのスクランブリングシーケンスなどのスクランブリングシーケンス；Ｍ−ＰＤＣＣＨランダム化のための開始拡張制御チャネル要素（ＥＣＣＥ）インデックス、Ｍ−ＰＤＣＣＨランダム化のためのビットインターリーバ；および／または１つまたは複数の無線ネットワーク一時識別子（ＲＮＴＩ）。
【００８７】
例においてスクランブリングシーケンスは、Ｍ−ＰＤＣＣＨのビットシーケンスをランダム化するために用いられ得る。同じスクランブリングシーケンスを用いて、受信されたビットをデスクランブルするＷＴＲＵは、Ｍ−ＰＤＣＣＨを受信し得るまたは受信することが可能となり得る。例において、同じスクランブリングシーケンスを用いて、受信されたビットをデスクランブルするＷＴＲＵのみが、Ｍ−ＰＤＣＣＨを受信し得るまたは受信することが可能となり得る。
【００８８】
Ｍ−ＰＤＣＣＨのビットシーケンスは、Ｍ−ＰＤＣＣＨの変調の前のビットシーケンスとすることができる。例えばＭ−ＰＤＣＣＨのビットシーケンスは、レートマッチング（rate matching）後のビットシーケンスとすることができる。符号化されたビットシーケンスは、レートマッチングの入力ビットシーケンスとすることができ、レートマッチングの出力ビットシーケンスは、Ｍ−ＰＤＣＣＨのビットシーケンスとすることができる。巡回冗長検査（ＣＲＣ）がＲＮＴＩによってスクランブルされたＤＣＩは、チャネル符号化ブロックの入力ビットシーケンスとすることができ、出力ビットシーケンスは、符号化されたビットシーケンスとすることができる。
【００８９】
Ｍ−ＰＤＣＣＨのビットシーケンスは、チャネル符号化の前のビットシーケンスとすることができる。例えばＣＲＣがＲＮＴＩによってスクランブルされたＤＣＩは、Ｍ−ＰＤＣＣＨのビットシーケンスとすることができる。
【００９０】
ＲＮＴＩに対して、以下の例の１つまたは複数が適用され得る。例えばページングのためにＤＣＩが用いられ得る場合、ＲＮＴＩはＰ−ＲＮＴＩとすることができる。他の例においてＲＮＴＩは、スクランブリングシーケンスに関連付けられ得るグループ固有Ｐ−ＲＮＴＩとすることができる。他の例においてＲＮＴＩは、ページングのために用いられ得るＷＴＲＵ−ＩＤのＮ個の最下位ビット（ＬＳＢ）とすることができる。ＮはＣＲＣビットの数とすることができ、これはＮＣＲＣと呼ばれ得る。例えばＷＴＲＵ−ＩＤの１６個のＬＳＢ、例えばＩＭＳＩまたはシステムアーキテクチャエボリューション（ＳＡＥ）一時的移動体加入者識別（ｓ−ＴＭＳＩ）が用いられ得る。ＲＮＴＩのために用いられるＮビットは、ＷＴＲＵ−ＩＤモジュロ（２＾Ｎ）、例えばＩＭＳＩモジュロ（２＾Ｎ）に対応するものと同じＮビットとすることができ、Ｎは１６とすることができる。
【００９１】
例においてＭ−ＰＤＣＣＨのビットシーケンスｂ（０），・・・，ｂ（Ｍbit−１）は、一定のスクランブリングシーケンスｃ（ｉ）でスクランブルされることができ、ただしＭbitはＭ−ＰＤＣＣＨのビットシーケンスにおけるビット数とすることができる。ＷＴＲＵ固有またはＷＴＲＵグループ固有スクランブリングシーケンスの結果は、
【００９２】
【数１】
2020108153.tif 000004
【００９３】
として参照され得る。
【００９４】
例において
【００９５】
【数２】
2020108153.tif 000005
【００９６】
ビットシーケンスは、
【００９７】
【数３】
2020108153.tif 000006
【００９８】
に基づいて決定されることができ、ただしｍｏｄ  ２はモジュロ２演算とすることができる。さらにスクランブリングシーケンスｃ（ｉ）は、初期化値ｃinitに基づいて決定され得る擬似ランダムシーケンスとすることができ、ｉはビットシーケンスのビットインデックスとすることができる。
【００９９】
一定のスクランブリングシーケンスは、Ｍ−ＰＤＣＣＨまたはスクランブリングシーケンスが、ＷＴＲＵ固有またはＷＴＲＵグループ固有の、関連付けられたＤＣＩ内の情報タイプまたは関連付けられたＰＤＳＣＨ内の情報タイプであり得るかどうかの少なくとも１つに基づいて決定され得る。初期化値（ｃinit）は、少なくともＷＴＲＵ−ＩＤ、少なくとも関連付けられたＷＴＲＵグループ番号、少なくとも関連付けられたＤＣＩ内の情報タイプ、少なくとも関連付けられたＰＤＳＣＨおよび／またはＲＮＴＩ内の情報タイプに基づいて決定され得る。
【０１００】
例においてＭ−ＰＤＣＣＨのビットシーケンスを監視するまたは復号を試み得るＷＴＲＵは、それの関連付けられたスクランブリングシーケンスを用いることができる。関連付けられたスクランブリングシーケンスは、Ｍ−ＰＤＣＣＨまたはスクランブリングシーケンスがＷＴＲＵ固有またはＷＴＲＵグループ固有であるかどうか、および／またはＤＣＩ内の情報タイプの少なくとも１つに基づいて決定され得る。例えば関連付けられたスクランブリングシーケンスは、ＷＴＲＵがそれに対してＷＴＲＵ固有またはＷＴＲＵグループ固有ページングを監視し得る、ＤＣＩ内の情報のタイプに基づいて決定され得る。例においてＷＴＲＵは、チャネルデコーダの入力ビットシーケンスによってデスクランブルを行うことができる。またＷＴＲＵは、チャネルデコーダの出力ビットシーケンスによってデスクランブルを行うことができる。例においてＷＴＲＵ受信器において受信されるＭ−ＰＤＣＣＨのビットシーケンスが、ｄ（０），・・・，ｄ（Ｍbit−１）である場合、
【０１０１】
【数４】
2020108153.tif 000007
【０１０２】
シーケンスは、関連付けられたスクランブリングシーケンスｃ（ｉ）による、デスクランブルされたビットシーケンスと呼ばれ得る。例としてＷＴＲＵは、
【０１０３】
【数５】
2020108153.tif 000008
【０１０４】
によってデスクランブルを行うことができる。
【０１０５】
ＷＴＲＵ固有スクランブリングシーケンスおよび／またはＷＴＲＵグループ固有スクランブリングシーケンスが、提供され得るおよび／または用いられ得る。例においてＷＴＲＵ固有またはＷＴＲＵグループ固有スクランブリングシーケンス例えば第１のスクランブリングシーケンスは、例えばＰＯまたは各ＰＯ内のＭ−ＰＤＣＣＨのビットシーケンスをスクランブルするために用いられ得る。例において同じスクランブリングシーケンス例えば第１のスクランブリングシーケンスを用い得るＷＴＲＵまたはＷＴＲＵグループは、Ｍ−ＰＤＣＣＨを復号し得る、または復号することが可能となり得る。例えば同じスクランブリングシーケンス例えば第１のスクランブリングシーケンスを用い得るＷＴＲＵまたはＷＴＲＵグループのみが、Ｍ−ＰＤＣＣＨを復号し得る、または復号することが可能となり得る。
【０１０６】
ＷＴＲＵグループ固有スクランブリングシーケンスを用いる例において、Ｎg個のスクランブリングシーケンスが、ＰＯに対するＮg個のＷＴＲＵグループのために用いられることができ、Ｎg個のＷＴＲＵグループ内のＷＴＲＵグループ例えば第１のＷＴＲＵグループに対して意図されるまたは目標とするＭ−ＰＤＣＣＨのビットシーケンスは、対応するスクランブリングシーケンス例えば第１のスクランブリングシーケンスでスクランブルされ得る。例において対応するスクランブリングシーケンス例えば第１のスクランブリングシーケンスを用いるＷＴＲＵグループは、Ｍ−ＰＤＣＣＨを受信し得るまたは受信することが可能となり得る。他の例において対応するスクランブリングシーケンス例えば第１のスクランブリングシーケンスを用いるＷＴＲＵグループのみが、Ｍ−ＰＤＣＣＨを受信し得るまたは受信することが可能となり得る。ＷＴＲＵグループ固有スクランブリングシーケンスは、以下の少なくとも１つに基づいて決定され得る：例えば少なくともＮgおよびＷＴＲＵ−ＩＤに基づくことができるモジュロ演算；例えばＮgおよびＷＴＲＵ−ＩＤに基づくことができるハッシュ関数；および例えば少なくともＣＥレベルに基づいて決定され得るＷＴＲＵグループ番号。
【０１０７】
モジュロ演算が少なくともＮgおよびＷＴＲＵ−ＩＤ（ＮWTRUID）に基づくことができる場合は、モジュロ演算が用いられ得る。ＷＴＲＵグループ番号（Ｎgroup）は、ＷＴＲＵ−ＩＤモジュロＮgによって決定され得る（例えばＮgroup＝（ＮWTRUID）  ｍｏｄ  Ｎg）。サブフレーム番号および／またはフレーム番号（例えばＳＦＮ）が、用いられ得る。例えば、Ｎgroup＝（ＮWTRUID・ＮFrame）  ｍｏｄ  Ｎg。
【０１０８】
ハッシュ関数が用いられることができ、ハッシュ関数はＮgおよびＷＴＲＵ−ＩＤに基づくことができる。この場合、例えばＮgroup＝（Ａ・ＮWTRUID）  ｍｏｄ  Ｎg、ただしＡは素数（例えばＡ＝３９，８２７）とすることができ、またはＮgroup＝（（Ａ・ＮWTRUID）  ｍｏｄ  Ｄ）ｍｏｄ  Ｎg、ただしＤはＡとは異なり得る素数（例えばＤ＝６５，５３７とすることができる）。ハッシュ関数は、サブフレーム番号および／またはフレーム番号に基づくことができる。
【０１０９】
ＷＴＲＵグループ番号は、少なくともＣＥレベルに基づいて決定され得る。例えば第１のＣＥレベル（例えばＣＥレベル１）を有するＷＴＲＵは第１のＷＴＲＵグループとしてグループ化されることができ、第２のＣＥレベル（例えばＣＥレベル２）を有するＷＴＲＵは第２のＷＴＲＵグループとしてグループされ得る。
【０１１０】
ＷＴＲＵ−ＩＤは、ＷＴＲＵのために割り振られたＲＮＴＩ、ＩＭＳＩ、およびｓ−ＴＭＳＩの少なくとも１つ、および／または割り振られたＲＮＴＩ、ＩＭＳＩ、およびｓ−ＴＭＳＩの少なくとも１つの一部とすることができる。例えばＷＴＲＵ−ＩＤは、ＩＭＳＩモジュロＭ、またはｓ−ＴＭＳＩモジュロＮとすることができる。Ｍおよび／またはＮは１０２４とすることができる。Ａおよび／またはＤはＮgの関数とすることができる。Ａおよび／またはＤは固定、および／または例えばシグナリングを通じてｅノードＢによって構成され得る。ＮWTRUIDはＷＴＲＵ−ＩＤ、またはＷＴＲＵのＩＭＳＩもしくはｓ−ＴＭＳＩの、一部分または関数とすることができる。例えばＷＴＲＵに対するＮWTRUIDはＩＭＳＩ−１０、またはＩＭＳＩモジュロＸとすることができ、ただしＸは１０２４以下の数とすることができる。
【０１１１】
ＷＴＲＵ固有スクランブリングシーケンスを用いる例において、ＷＴＲＵ固有スクランブリングシーケンスは、ＷＴＲＵに対して意図されるまたは目標とするＭ−ＰＤＣＣＨのビットシーケンスに対して用いられることができ、ＷＴＲＵ固有スクランブリングシーケンスは、少なくともＷＴＲＵ−ＩＤまたはＷＴＲＵ−ＩＤの一部に基づいて決定され得る。ＭＭＥにより開始されるページングにおいてＷＴＲＵ−ＩＤは、ＭＭＥによってｅノードＢに、Ｓ１ページングメッセージまたは要求において提供され得る。
【０１１２】
例においてスクランブリングシーケンスは、ＤＣＩ内で運ばれ得る特定の情報タイプに基づいて決定され得る。例えば第１のスクランブリングシーケンスは、ＤＣＩが第１の情報タイプをその中で運び得るＭ−ＰＤＣＣＨのビットシーケンスに対して用いられることができ、第２のスクランブリングシーケンスは、ＤＣＩが第２の情報タイプをその中で運び得るＭ−ＰＤＣＣＨのビットシーケンスに対して用いられ得る。
【０１１３】
第１の情報タイプは、システム情報変更表示、ＥＴＷＳ表示、ＣＭＡＳ表示、およびＥＡＢパラメータ変更表示などの少なくとも１つまたは複数のシステム情報更新表示を含み得るが、それらに限定されない。１つまたは複数のシステム情報表示は、システム情報更新を示すための単一ビット、または複数のＳＩ、例えばＳＩＢもしくはＳＩメッセージのシステム情報更新を示すための複数ビットとすることができる。追加のインジケータ、例えばＤＣＩフォーマットもしくはＤＣＩタイプを示すためのフラグビットが含められ得る。第１の情報タイプに対するスクランブリングシーケンスは、少なくとも１つのセル固有パラメータ、例えば物理セルＩＤなどに基づくことができる。
【０１１４】
第２の情報タイプは少なくとも、関連付けられたＰＤＳＣＨのスケジューリング情報とすることができる。第２の情報タイプに対するスクランブリングシーケンスは、例えばＷＴＲＵ−ＩＤなどの、ＷＴＲＵ固有パラメータの少なくとも１つに基づくことができる。
【０１１５】
他の例においてスクランブリングシーケンスは、ＤＣＩおよび／またはＷＴＲＵ−ＩＤ内で運ばれる情報タイプに基づいて決定され得る。例えば第１のスクランブリングシーケンスは、ＤＣＩが第１の情報タイプをその中で運び得るＭ−ＰＤＣＣＨのビットシーケンスに対して用いられることができ、第２のスクランブリングシーケンスは、ＤＣＩが第２の情報タイプをその中で運び得るＭ−ＰＤＣＣＨのビットシーケンスに対して用いられ得る。第１のスクランブリングシーケンスは、予め規定され得る。第２のスクランブリングシーケンスは、ＷＴＲＵ−ＩＤに基づいて決定され得る。
【０１１６】
例において第１の情報タイプおよび第２の情報タイプのためのＰＯは、同じとすることができる。さらにＷＴＲＵは、第１の情報タイプおよび第２の情報タイプの両方に対してＭ−ＰＤＣＣＨを監視することができる。またはＷＴＲＵは、ＰＯのサブセットまたはすべてのＰＯ内で、第１の情報タイプに対してＭ−ＰＤＣＣＨを監視することができる。ＷＴＲＵは、ＰＯのサブセットまたはすべてのＰＯ内で、第２の情報タイプに対して、Ｍ−ＰＤＣＣＨを監視することができる。
【０１１７】
他の例において第１の情報タイプおよび第２の情報タイプのためのＰＯは、異なり得る。第１の情報タイプのためのＰＯの時間および／または周波数位置は、少なくとも１つのセル固有パラメータに基づいて決定され得る。セル固有パラメータは、例えば物理セルＩＤ、システム帯域幅、サブフレーム番号、ＳＦＮなどのフレーム番号などを含むことができる。第２の情報タイプのためのＰＯの時間および／または周波数位置は、少なくとも１つのＷＴＲＵ固有パラメータ、例えばＷＴＲＵ−ＩＤに基づいて決定され得る。
【０１１８】
ページング受信のためのスクランブリングシーケンスの使用を含む例が、本明細書で開示される。ＷＴＲＵは、本明細書で述べられる１つまたは複数の例に従ってビットスクランブリングシーケンス、例えばＭ−ＰＤＣＣＨビットスクランブリングシーケンスを決定することができる。例においてＷＴＲＵは、ＰＯ内でＭ−ＰＤＣＣＨに対して監視することができる。ＷＴＲＵはビットスクランブリングシーケンスを用いて、受信された信号またはＭ−ＰＤＣＣＨをデスクランブルすることができる。ＷＴＲＵはデスクランブルされたＭ−ＰＤＣＣＨが、ＷＴＲＵがページングのために用い得るＲＮＴＩでマスクされたＤＣＩを運び得るかどうかを決定することができる。ＲＮＴＩは、例えばＰ−ＲＮＴＩとすることができる。ＷＴＲＵが、ＤＣＩはＲＮＴＩ例えばＰ−ＲＮＴＩでマスクされていると決定した場合、ＷＴＲＵは、ＤＣＩの内容を読み出して、システム情報更新情報および／またはＰＤＳＣＨスケジューリング情報の１つまたは複数を取得することができる。ＷＴＲＵはスケジューリング情報を用いて、１つまたは複数のページングレコードまたはページングメッセージを運び得る関連付けられたＰＤＳＣＨを受信することができる。
【０１１９】
Ｍ−ＰＤＣＣＨランダム化のための開始ＥＣＣＥインデックスの使用例が、本明細書で開示される。例においてＭ−ＰＤＣＣＨまたはＤＣＩに対して監視するために、Ｍ−ＰＤＣＣＨ探索空間が用いられることができ、例えば監視するための開始ＥＣＣＥインデックスは、少なくとも１つのＷＴＲＵ固有パラメータに基づいて決定され得る。例えばＷＴＲＵは、Ｍ−ＰＤＣＣＨまたはＤＣＩに対する監視のためにＭ−ＰＤＣＣＨ探索空間を用いることができ、例えば監視するための開始ＥＣＣＥインデックスは、少なくとも１つのＷＴＲＵ固有パラメータに基づいて決定され得る。本明細書で用いられる制御チャネル要素（ＣＣＥ）、ＥＣＣＥおよびＮＢ−ＩｏＴ制御チャネル要素（ＮＣＣＥ）は、同義的に用いられ得る。
【０１２０】
図３は、ＷＴＲＵグループ固有開始ＥＣＣＥインデックスを示す例示的な図である。図３００は、ＥＣＣＥアグリゲーションレベル１６でのサブフレーム３１０内のＥＣＣＥの例を示す。他の例において、１、２、４、８、および３２などの他のＥＣＣＥアグリゲーションレベルが用いられ得る。図３に示される例においてＷＴＲＵは、ＷＴＲＵがその中に存在するグループに応じて、異なる開始ＥＣＣＥインデックスを用いることができる。例えばＷＴＲＵは４つのＷＴＲＵグループ、番号が付けられたＷＴＲＵグループ＃１からＷＴＲＵグループ＃４までに分割され得る。ＷＴＲＵグループ＃１内のＷＴＲＵは１の開始ＥＣＣＥを有する開始ＥＣＣＥインデックス３３０を用いることができ、ＷＴＲＵグループ＃２内のＷＴＲＵは５の開始ＥＣＣＥを有する開始ＥＣＣＥインデックス３５０を用いることができ、ＷＴＲＵグループ＃３内のＷＴＲＵは９の開始ＥＣＣＥを有する開始ＥＣＣＥインデックス３７０を用いることができ、およびＷＴＲＵグループ＃４内のＷＴＲＵは１２の開始ＥＣＣＥを有する開始ＥＣＣＥインデックス３９０を用いることができる。
【０１２１】
図４は、ＷＴＲＵのＷＴＲＵグループに基づく開始ＥＣＣＥインデックスによって、マシンタイプ通信（ＭＴＣ）物理ダウンリンク制御チャネル（Ｍ−ＰＤＣＣＨ）を受信するＷＴＲＵを示す例示のフローチャートの図である。チャート４００に示される例においてＷＴＲＵは、Ｍ−ＰＤＣＣＨ探索空間４１０内でＭ−ＰＤＣＣＨに対して監視することができる。ＷＴＲＵは、ＷＴＲＵを含んだＷＴＲＵグループに対する開始ＥＣＣＥインデックスを用いて、Ｍ−ＰＤＣＣＨに対して監視することができる。次いでＷＴＲＵはＭ−ＰＤＣＣＨ探索空間内のＭ−ＰＤＣＣＨを受信することができ、Ｍ−ＰＤＣＣＨは、ＷＴＲＵ４２０を含んだＷＴＲＵグループに対する開始ＥＣＣＥインデックスを有し得る。図３に示されるＷＴＲＵグループに対応する例において、ＷＴＲＵはＷＴＲＵグループ＃２内とすることができ、従って５の開始ＥＣＣＥインデックス３５０を有するＭ−ＰＤＣＣＨに対して監視および／または受信することができる。さらに４３０でＷＴＲＵはＭ−ＰＤＣＣＨを復号することができ、Ｍ−ＰＤＣＣＨはＤＣＩを含む。４４０でＷＴＲＵは、Ｍ−ＰＤＣＣＨまたはＤＣＩに関連付けられたＰＤＳＣＨ、例えばＭ−ＰＤＣＣＨまたはＤＣＩによってスケジュールされたＰＤＳＣＨを受信することができる。例においてＷＴＲＵは、ＤＣＩに基づいてＰＤＳＣＨを受信する、復号する、復号を試みる、復調する、および／または復調を試みることができ、ＰＤＳＣＨはページングメッセージを含み得る。結果としてＷＴＲＵは、ページングメッセージに基づいてそれの動作を変化させることができる。例えばＷＴＲＵは、ページングメッセージに基づいてアイドルモードから接続モードに変化することができる。次いでＷＴＲＵは、接続モードで送信および受信を開始することができる。他の例においてＷＴＲＵはすでに接続モードである場合があり、ページメッセージ内のシステム情報変化情報に基づいてそれのシステム動作を変化させることができる。
【０１２２】
他の例においてＤＣＩ監視のためにＭ−ＰＤＣＣＨ探索空間が用いられることができ、Ｍ−ＰＤＣＣＨ候補を決定するために、開始ＥＣＣＥインデックスおよび順序付け（例えば昇順、降順、ランダムな順序、および／または予め規定された順序）が用いられ得る。例えばＥＣＣＥの数ＮECCEが探索空間において使用可能で、ＥＣＣＥアグリゲーションレベルがＭ−ＰＤＣＣＨ候補に対するＮECCEと同じ場合、開始ＥＣＣＥインデックスおよび／または順序付けに基づいて、１つまたは複数のＭ−ＰＤＣＣＨ候補が決定され得る。
【０１２３】
Ｍ−ＰＤＣＣＨ候補は、昇順、降順、開始ＥＣＣＥインデックスによる昇順、または開始ＥＣＣＥインデックスによる降順で、アグリゲーションされ得るＮECCE個のＥＣＣＥによって定義または構成され得る。例において開始ＥＣＣＥインデックスおよび／または順序付けは、少なくとも１つのＷＴＲＵ固有パラメータに基づいて決定され得る。他の例において開始ＥＣＣＥインデックスおよび／または順序付けは少なくとも、ＤＣＩ内で運ばれる情報タイプに基づいて決定され得る。
【０１２４】
他の例においてＤＣＩ監視のためにＭ−ＰＤＣＣＨ探索空間が用いられることができ、ＥＣＣＥアグリゲーションはシーケンスに基づくことができる。ＥＣＣＥ順序付けのためのシーケンスは、少なくとも１つのＷＴＲＵ固有パラメータに基づいて決定され得る。
【０１２５】
図５は、ＷＴＲＵグループ固有ランダムＥＣＣＥ順序付けを示す例示的な図である。ＥＣＣＥ順序付けのためのシーケンスは、図５００に示されるように少なくとも１つのＷＴＲＵ固有パラメータに基づいて決定され得る。図３と同様に図５は、ＥＣＣＥアグリゲーションレベル１６でのサブフレーム内のＥＣＣＥの例５１０を示す。例においてシーケンスは、ＥＣＣＥアグリゲーションのためのＥＣＣＥ順序付けを決定することができる。他の例においてＥＣＣＥ順序付けのためのシーケンスは、ＷＴＲＵ固有パラメータ、ＤＣＩ内で運ばれる情報タイプ、ＣＲＣスクランブリングのために用いられ得るＲＮＴＩ、用いられるＤＣＩフォーマット、およびＣＥレベル、または例えばＭ−ＰＤＣＣＨ候補の反復数などの反復数の、少なくとも１つに基づいて決定され得る。
【０１２６】
他の例においてランダムシーケンスのセットは、例えばＷＴＲＵのグループに対して予め規定され、または構成され得る。シーケンスは開始ＥＣＣＥインデックスに対応し得る。シーケンスはＥＣＣＥアグリゲーション順序付けに対応し得る。
【０１２７】
図５に示される例においてＷＴＲＵは、ＷＴＲＵが存在するグループによってまたはそれに対して規定され、構成され、および／または用いられ得るランダムシーケンスに応じて、異なる開始ＥＣＣＥインデックスを用いることができる。例えばＷＴＲＵは４つのＷＴＲＵグループ、番号が付けられたＷＴＲＵグループ＃１からＷＴＲＵグループ＃４までに分割され得る。ＷＴＲＵグループ＃１内のＷＴＲＵは４の開始ＥＣＣＥインデックスに対応し得る第１のランダムシーケンス５３０を用いることができ、ＷＴＲＵグループ＃２内のＷＴＲＵは５の開始ＥＣＣＥインデックスに対応し得る第２のランダムシーケンス５５０を用いることができ、ＷＴＲＵグループ＃３内のＷＴＲＵは９の開始ＥＣＣＥインデックスに対応し得る第３のランダムシーケンス５７０を用いることができ、ＷＴＲＵグループ＃４内のＷＴＲＵは１２の開始ＥＣＣＥインデックスに対応し得る第４のランダムシーケンス５９０を用いることができる。例えばセット内のランダムシーケンスは、ＷＴＲＵ固有パラメータ、ＤＣＩ内で運ばれる情報タイプ、ＣＲＣスクランブリングのために用いられ得るＲＮＴＩ、用いられるＤＣＩフォーマット、またはＣＥレベル、または例えばＭ−ＰＤＣＣＨ候補の反復数などの反復数の、少なくとも１つに基づいて決定され得る。
【０１２８】
Ｍ−ＰＤＣＣＨランダム化のためのビットインターリーバを用いる例が、本明細書で開示される。例においてＭ−ＰＤＣＣＨに対するビットシーケンスは、インターリーブシーケンスによってインターリーブされ得る。インターリーブシーケンスは、ビットシーケンスの長さを有するシーケンスとすることができる。ビット位置は、インターリーブシーケンスに基づいてインターリーブされ得る。例においてインターリーブシーケンスは、少なくとも１つのＷＴＲＵ固有パラメータ、ＤＣＩ内で運ばれる情報タイプ、ＣＲＣスクランブリングのために用いられ得るＲＮＴＩ、用いられるＤＣＩフォーマット、およびＣＥレベル、または例えばＭ−ＰＤＣＣＨ候補の反復数などの反復数の、少なくとも１つまたは複数に基づいて決定され得る。他の例においてＷＴＲＵは、受信されたビットシーケンスの復号を試み得る前に、受信されたビットシーケンスをインターリーブシーケンスを用いてデインターリーブすることができる。
【０１２９】
例において例えばＷＴＲＵに、関連付けられたＰＤＳＣＨを復号するかどうかを示すために、１つまたは複数のＲＮＴＩがＤＣＩのために用いられ得る。例えばセル固有Ｐ−ＲＮＴＩ、および１つまたは複数のＷＴＲＵグループ固有Ｐ−ＲＮＴＩが用いられ得る。ＷＴＲＵは、ＰＯ内のセル固有Ｐ−ＲＮＴＩおよび／または関連付けられたＷＴＲＵグループ固有Ｐ−ＲＮＴＩによって、Ｍ−ＰＤＣＣＨを復号することを試みることができる。例において第１の情報タイプを運ぶＤＣＩのために、第１のＰ−ＲＮＴＩが用いられ得る。他の例において第２の情報タイプを運ぶＤＣＩのために、第２のＰ−ＲＮＴＩが用いられ得る。またＰＯ内でＷＴＲＵは、第１のＰ−ＲＮＴＩおよび／または第２のＰ−ＲＮＴＩによってＤＣＩを復号することを試みることができる。
【０１３０】
第１のＰ−ＲＮＴＩは、第１の情報タイプを運ぶＤＣＩのために用いられ得る。第１のＰ−ＲＮＴＩはセル固有Ｐ−ＲＮＴＩとすることができる。第１の情報タイプは、システム情報変更表示、ＥＴＷＳ表示、ＣＭＡＳ表示、およびＥＡＢパラメータ変更表示などの少なくとも１つまたは複数のシステム情報更新表示を含み得るが、それらに限定されない。１つまたは複数のシステム情報表示は、システム情報更新を示すための単一ビット、または複数のＳＩ、例えばＳＩＢもしくはＳＩメッセージなどのシステム情報更新を示すための複数ビットとすることができる。追加のインジケータ、例えばＤＣＩフォーマットもしくはＤＣＩタイプを示すためのフラグビットなどが含められ得る。第１のＰ−ＲＮＴＩは、少なくとも１つのセル固有パラメータ、例えば物理セルＩＤなどに基づくことができる。
【０１３１】
第２のＰ−ＲＮＴＩは、第２の情報タイプを運ぶＤＣＩのために用いられ得る。Ｐ−ＲＮＴＩのセットは、第２のＰ−ＲＮＴＩのために予め規定されまたは構成されることができ、予め規定されたまたは構成されたＰ−ＲＮＴＩの１つは、ＷＴＲＵ固有またはＷＴＲＵグループ固有のやり方で決定され得る。関連付けられたＰ−ＲＮＴＩを決定するために、ＷＴＲＵ−ＩＤおよび／または構成されたＰ−ＲＮＴＩの数を用いたモジュロ演算が用いられ得る。関連付けられたＰ−ＲＮＴＩを決定するように構成されたＷＴＲＵ−ＩＤおよび／またはＰ−ＲＮＴＩの数を用いて、ハッシュ関数が用いられ得る。
【０１３２】
ＰＯ内でＷＴＲＵは、第１のＰ−ＲＮＴＩによってＤＣＩを復号することを試みることができる。ＷＴＲＵはまた、ＷＴＲＵに関連付けられ得る第２のＰ−ＲＮＴＩによってＤＣＩを復号することを試みることができる。ＷＴＲＵが第１のＰ−ＲＮＴＩによってＤＣＩを復号することに成功できた場合、ＷＴＲＵは、第２のＰ−ＲＮＴＩによってＤＣＩを監視しなくてよい。ＷＴＲＵが第２のＰ−ＲＮＴＩによってＤＣＩを復号することに成功できなかった場合、ＷＴＲＵは、関連付けられたＰＤＳＣＨはスケジュールされていない場合があると想定することができる。
【０１３３】
以下の使用を含むページング受信の明示的表示が本明細書で開示される：中でもページングオケージョンタイプ、ページングオケージョンに対する監視インジケータ、ページングタイプ、ページングメッセージ、ページングウィンドウ；複数の監視インジケータ；および明示的および暗黙的表示を有する複数の監視インジケータ。例において例えばＲＲＣアイドルＷＴＲＵおよび／またはＲＲＣ接続ＷＴＲＵのために、１つまたは複数のページングオケージョンタイプが用いられ、構成され、または規定され得る。
【０１３４】
ＷＴＲＵがその中でページングメッセージを監視することができるページングメッセージ送信のために、第１のページングオケージョンタイプが用いられ得る。ページングメッセージは、１つまたは複数のページングレコードならびに／もしくは１つまたは複数のシステム情報更新表示を含み得る。例においてページングメッセージは、ＤＣＩ内で運ばれ得る。他の例においてページングメッセージはＰＤＳＣＨ内で運ばれることができ、ＰＤＳＣＨのスケジューリング情報は関連付けられたＤＣＩ内で提供され得る。またページングメッセージは、スケジューリング情報のための関連付けられたＤＣＩなしに、ＰＤＳＣＨ内で運ばれ得る。さらにページングメッセージの内容は、関連付けられたＤＣＩから示され得る。例えばＤＣＩは、ページングメッセージに含まれた情報タイプを示すことができる。
【０１３５】
例において１つまたは複数のシステム情報更新表示のために、第２のページングオケージョンタイプが用いられ得る。他の例において１つまたは複数のページングオケージョンタイプは、同じ時間／周波数リソース内に位置し、個別に監視され得る。
【０１３６】
１つまたは複数のページングオケージョンタイプのための時間／周波数位置は、独立に決定され得る。第１のページングオケージョンタイプの時間／周波数位置は、例えばＷＴＲＵ−ＩＤなどの、少なくとも１つのＷＴＲＵ固有パラメータに基づいて決定され得る。第２のページングオケージョンタイプの時間／周波数位置は、例えば物理セルＩＤ、（ｅ）ＤＲＸサイクル、システム帯域幅などの、少なくとも１つのセル固有パラメータに基づいて決定され得る。
【０１３７】
例においてＤＣＩフォーマットまたはＤＣＩ内容は、ページングオケージョンタイプに従って異なり得る。さらに関連付けられたＲＮＴＩは、ページングオケージョンタイプに従って異なり得る。
【０１３８】
例において監視のための表示、例えばＰＯタイプの１つまたは複数の、監視インジケータは、ブロードキャストチャネル内で、例えばＭＩＢ内、共通探索空間内のＤＣＩ内などで送信され得る。例えばブロードキャストチャネルは、ｘｍｓごとに送信されることができ、１つまたは複数のＰＯがブロードキャスト送信に関連付けられ得る。ブロードキャスト送信は、ＷＴＲＵがブロードキャスト送信に関連付けられた１つまたは複数のＰＯを監視する必要があり得るかどうかを示すことができる。ＷＴＲＵは、それが１つまたは複数のＰＯを監視し得る前に、監視インジケータを運び得るブロードキャストチャネルの復号または読み出しを試みることができる。例において監視インジケータは、１つまたは複数のＰＯタイプに関連付けられ得る。例えば監視インジケータは、第１のＰＯタイプに関連付けられ得る。他の例において監視インジケータは、第１のＰＯタイプのみに関連付けられ得る。他の例において監視インジケータは、第２のＰＯタイプに関連付けられ得る。他の例において監視インジケータは、第２のＰＯタイプのみに関連付けられ得る。例において監視インジケータは、ＴＲＵＥまたはＦＡＬＳＥに設定され得る。監視インジケータに基づいてＷＴＲＵは、ＷＴＲＵ固有パラメータ例えばＷＴＲＵ−ＩＤなど、または例えば物理セルＩＤなどの少なくとも１つのセル固有パラメータに基づいて決定され得るセル固有ＰＯの、少なくとも１つに基づいて決定され得るＷＴＲＵグループ固有ＰＯを監視することができる。
【０１３９】
監視インジケータは、１つまたは複数のＰＯに関連付けられ得る。例えば監視インジケータは、一定の時間ウィンドウ内のＰＯに関連付けられ得る。ＷＴＲＵが監視インジケータを受信した場合、ＷＴＲＵは一定の時間ウィンドウ内でＰＯの受信または監視を試みることができる。
【０１４０】
監視インジケータはＷＴＲＵグループインデックスを示すことができ、監視インジケータに関連付けられたＷＴＲＵグループはＰＯを監視することができる。例において監視インジケータは、どのＷＴＲＵグループがＰＯを監視する必要があるかを示すことができる。ＷＴＲＵグループは、システム情報更新に対するすべてのＷＴＲＵグループを含み得る。他の例において監視インジケータは、４つの状態など、いくつかの状態を有することができ、状態の少なくとも１つを示すことができる。状態は、例えばセル共通ページング、第１のＷＴＲＵグループ、第２のＷＴＲＵグループ、および第３のＷＴＲＵグループを含み得る。例においてセル共通ページは、セル固有ＰＯ内に存在し得るまたは生じ得る。ＷＴＲＵはＰＯを監視する、または監視インジケータ状態に従ってページを監視することができる。
【０１４１】
監視インジケータはＰＯタイプを示すことができ、ＷＴＲＵはＰＯタイプに対応するＰＯを監視することができる。例においてＷＴＲＵは第１のＰＯタイプを示す監視インジケータを受信することができ、次いでＷＴＲＵは第１のＰＯタイプに対応するＰＯを監視することができる。さらにＷＴＲＵは第１のＰＯタイプを示す監視インジケータを受信することができ、次いでＷＴＲＵは第１のＰＯタイプに対応するＰＯのみを監視することができる。
【０１４２】
他の例において監視インジケータは、ＷＴＲＵグループ固有Ｍ−ＰＤＣＣＨスクランブリングシーケンス、ＷＴＲＵグループ固有ＲＮＴＩ、ＷＴＲＵグループ固有開始ＥＣＣＥインデックス、および／またはＷＴＲＵグループ固有インターリーバと共に用いられ得る。監視インジケータは、ＷＴＲＵがそれに関連付けられＰＯを監視する必要があり得るかどうかを示すために用いられることができ、ページング受信方式の暗黙的表示が、各ＰＯにおいて用いられ得る。ＷＴＲＵは、例えば監視インジケータを復号する、受信する、または監視することを試みることができ、監視インジケータがＷＴＲＵはＰＯを監視する必要があり得ることを示す場合、ＷＴＲＵは例えばＭ−ＰＤＣＣＨに対して、それの関連付けられたスクランブリングシーケンス、開始ＥＣＣＥインデックス、ＲＮＴＩ、および／またはインターリーブシーケンスによって、ＰＯを復号または監視することを試みることができる。さらにＷＴＲＵは、最初に監視インジケータを復号する、受信する、または監視することを試みることができ、監視インジケータがＷＴＲＵはＰＯを監視する必要があり得ることを示す場合、ＷＴＲＵは例えばＭ−ＰＤＣＣＨに対して、それの関連付けられたスクランブリングシーケンス、開始ＥＣＣＥインデックス、ＲＮＴＩ、および／またはインターリーブシーケンスによって、ＰＯを復号または監視することを試みることができる。
【０１４３】
例において１つまたは複数の監視インジケータが用いられることができ、ＷＴＲＵはＷＴＲＵが、ページング関連情報を運ぶＭ−ＰＤＣＣＨおよび／またはＰＤＳＣＨを監視する、受信する、または復号を試みる必要があるかどうかを決定することができる。ＷＴＲＵがＰＯ内のＭ−ＰＤＣＣＨを監視するまたは復号を試みる必要があるかどうかを決定するために、監視インジケータが用いられることができ、これはＰＯ（ページングオケージョン）監視インジケータと呼ばれ得る。ＷＴＲＵがページングメッセージ（ＰＭ）を運び得る関連付けられたＰＤＳＣＨを受信する必要があるかどうかを決定するために、監視インジケータが用いられることができ、これはＰＭ監視インジケータと呼ばれ得る。ＷＴＲＵがページングウィンドウ（ＰＷ）内のＰＯを監視する必要があるかどうかを決定するために、監視インジケータが用いられることができ、これはＰＷ監視インジケータと呼ばれ得る。ＰＷは、ＷＴＲＵのための１つまたは複数のＰＯを含み得る。ＰＷは、ＰＯの数に基づいて規定または決定され得る。例えばＰＷは、ＮPO個のＰＯを含むように規定されることができ、ＮPOは正の整数とすることができる。
【０１４４】
ＷＴＲＵが後続の監視インジケータを受信する、復号を試みる、または監視する必要があるかどうかを決定するために、監視インジケータが用いられ得る。ＷＴＲＵは、それがＰＯ内の信号例えばＭ−ＰＤＣＣＨまたはＰＤＳＣＨを復号する、監視する、復号を試みる、受信する、受信を試みることができ得る前に、監視インジケータを受信することができる。２つの監視インジケータが用いられることができ、第１の監視インジケータはＰＯ監視インジケータとすることができ、第２の監視インジケータはＰＭ監視インジケータとすることができる。第１の監視インジケータは、ブロードキャストチャネル内で送信され得る。第２の監視インジケータは、ＤＣＩ内、例えばＭ−ＰＤＣＣＨ内で送信され得る。
【０１４５】
ＰＭ監視インジケータは、以下の少なくとも１つを示すための１つまたは複数のビットから構成され得る：ページングメッセージを運び得る関連付けられたＰＤＳＣＨの存在；ページングメッセージに関連付けられ得るＷＴＲＵグループインデックス、またはＷＴＲＵグループＩＤ；およびページングメッセージ内で運ばれる情報のタイプ。
【０１４６】
他の例において１つまたは複数の監視インジケータが用いられることができ、各監視インジケータはＷＴＲＵグループ、ＷＴＲＵグループインデックス、またはＷＴＲＵグループＩＤを示すために用いられ得る。ＷＴＲＵグループ、ＷＴＲＵグループインデックス、またはＷＴＲＵグループＩＤに関連付けられ得るＷＴＲＵは、例えばＷＴＲＵグループ、ＷＴＲＵグループインデックス、またはＷＴＲＵグループＩＤに対する監視インジケータがページングメッセージを監視または読み出すことを示すとき、ページングメッセージを監視または受信する必要があり得る。階層的ＷＴＲＵグループインデックスが用いられることができ、第１のＷＴＲＵグループインデックスは、ＷＴＲＵまたはＷＴＲＵ−ＩＤのセットを含むことができ、第２のＷＴＲＵグループインデックスは、第１のＷＴＲＵグループインデックスから示されたＷＴＲＵまたはＷＴＲＵ−ＩＤのセット内のＷＴＲＵまたはＷＴＲＵ−ＩＤのサブセットを含むことができる。第１のＷＴＲＵグループインデックスは、ＷＴＲＵ−ＩＤ例えばＩＭＳＩに基づいて決定されることができ、第２のＷＴＲＵグループインデックスは異なるＷＴＲＵ−ＩＤ例えばｓ−ＴＭＳＩに基づいて決定され得る。第１のＷＴＲＵグループインデックスは、ＷＴＲＵ−ＩＤと、第１のＷＴＲＵグループインデックスに対するＷＴＲＵグループの数とに基づくモジュロ演算に基づいて決定されることができ、第２のＷＴＲＵグループインデックスは、ＷＴＲＵ−ＩＤと、第２のＷＴＲＵグループインデックスに対するＷＴＲＵグループの数とのハッシュ関数に基づいて決定され得る。
【０１４７】
ＷＴＲＵグループインデックスを決定するために、第１の監視インジケータおよび第２の監視インジケータの組み合わせが用いられ得る。第１の監視インジケータに対してＮ１個のＷＴＲＵグループ、および第２の監視インジケータに対してＮ２個のＷＴＲＵグループが用いられる場合、組み合わされたＷＴＲＵグループは、Ｎ１×Ｎ２個のＷＴＲＵグループとして示され得る。
【０１４８】
明示的および暗黙的表示を有するページングに対する複数の監視インジケータを用いる例が、本明細書で論じられる。例において１つまたは複数の監視インジケータが用いられることができ、第１の監視インジケータは１つまたは複数の明示的ビットに基づくことができ、一方、第２の監視インジケータはＲＮＴＩに基づくことができる。例えばＷＴＲＵは第１のチャネル内のＰＯ監視インジケータを受信する、またはそれからの表示を受信することができ、ＷＴＲＵは第２のチャネル内のＰＭ監視インジケータを受信する、またはそれからの表示を受信することができる。
【０１４９】
例において第１のチャネルはブロードキャストチャネルとすることができ、第２のチャネルは物理ダウンリンク制御チャネル例えばＭ−ＰＤＣＣＨとすることができる。他の例において第１のチャネルは、例えば共通探索空間などのセル固有時間／周波数リソース内で監視されるＭ−ＰＤＣＣＨとすることができ、第２のチャネルは、例えばＷＴＲＵ固有またはＷＴＲＵグループ固有探索空間などのＷＴＲＵ固有またはＷＴＲＵグループ固有時間／周波数リソース内で監視されるＭ−ＰＤＣＣＨとすることができる。他の例においてＰＯ監視インジケータは、ブロードキャストチャネル内で送信される１つまたは複数のビットとすることができる。またＰＭ監視インジケータは、ＰＭ監視表示のために予約されたＲＮＴＩのセットとすることができる。
【０１５０】
ＷＴＲＵがページングＮＢ決定を行うための例示の方法が、本明細書で論じられる。ＷＴＲＵはそれのＰＯ内のページングのために用いるようにＮＢを、例えばそれのＷＴＲＵ  ＩＤ、ページングＮＢの数、およびＤＬシステム帯域幅の少なくとも１つに基づいて決定することができる。ＷＴＲＵ  ＩＤは、ＩＭＳＩまたはｓ−ＴＭＳＩとすることができる。例えばＷＴＲＵのＰＯを決定するためにＩＭＳＩモジュロ１０２４が用いられ得るので、選択肢はＮＢを決定するためにＩＭＳＩモジュロ１０２４を用いることである。ページングＮＢの数は、ブロードキャストされることができ、ブロードキャストシグナリングを通じて受信されることができ、および／またはシステム情報を通じて受信され得る。ページングＮＢは、ページングのために用いられ得るＮＢとすることができる。例においてＮＢは、システムＢＷ内のＲＢまたはサブキャリアのセットとするまたはそれらを表すことができる。
【０１５１】
ページングのために用いられるパラメータは、ＤＲＸサイクル、ｎＢなどを含み得る。しかしページングのために用いられ得るパラメータおよびＮＢの数によっては、ＮＢを決定するためのＩＭＳＩモジュロ１０２４の使用は、結果として所与のＰＯ内のいくつかまたはすべてのＷＴＲＵが、同じＮＢを決定することになり得る。これはページングのために複数のＮＢを有するという目的が達せられないことになり得る。
【０１５２】
ＷＴＲＵがページングのためのＮＢをより良好に決定するためのいくつかの例示の解決策が、本明細書で論じられる。例示の解決策においてＩＭＳＩ−１０は、ＩＭＳＩモジュロ１０２４、またはＩＭＳＩの最下位１０ビットを表すために用いられ得る。ＷＴＲＵの、ＭＭＥにより開始されるページングに対して、ＭＭＥはページを要求するために、ｅノードＢへのＳ１ページングメッセージ内に、ＷＴＲＵに対するＩＭＳＩ−１０および／またはｓ−ＴＭＳＩを含めることができる。ＷＴＲＵをページングするときｅノードＢは、ＷＴＲＵのＩＭＳＩ−１０および／またはｓ−ＴＭＳＩを知り得る。ＷＴＲＵおよび／またはｅノードＢは、これらの値の一方または両方を用いて、ページングのためのＷＴＲＵのＮＢを決定することができる。例えばＷＴＲＵおよび／またはｅノードＢは、これらの値の一方または両方を用いて、ＷＴＲＵのＰＯ内の、ページングのためのＷＴＲＵのＮＢを決定することができる。
【０１５３】
ページングのためのＮＢを決定するために、ＷＴＲＵおよび／またはｅノードＢによって、少なくともＷＴＲＵ  ＩＤに基づくことができるハッシュ関数などの関数が用いられ得る。例えば関数は、少なくともＩＭＳＩ−１０またはＩＭＳＩモジュロＸに基づくことができる。例においてハッシュ関数は、少なくともＩＭＳＩ−１０またはＩＭＳＩモジュロＸに基づくことができる。
【０１５４】
例えばハッシュ関数などの関数は、Ｎbおよび／またはＷＴＲＵ  ＩＤに基づいて用いられ得る。例においてＮbは、ＮＢの数とすることができる。他の例においてＮbは、ページングのために用いるための、またはページングのために用いられ得るＮＢの数とすることができる。例えばＷＴＲＵのためのＮＢ、ＮＢWTRUは、例えばＷＴＲＵおよび／またはｅノードＢによって以下に従って決定されることができ、
ＮＢWTRU＝（Ａ・ＮWTRUID）  ｍｏｄ  Ｎb  式（１）
ただしＡは素数、例えばＡ＝３９８２７である。他の例においてＮＢWTRUは以下に従って決定されることができ、
ＮＢWTRU＝（（Ａ・ＮWTRUID）  ｍｏｄ  Ｄ）  ｍｏｄ  Ｎb  式（２）
ただしＤは、Ａとは異なり得る素数、例えばＤ＝６５５３７である。
【０１５５】
Ａおよび／またはＤは、Ｎbの関数とすることができる。Ａおよび／またはＤは固定され、および／または例えばシグナリングを通じてｅノードＢによって構成され得る。ＮWTRUIDはＷＴＲＵ  ＩＤ、またはＷＴＲＵのＩＭＳＩまたはｓ−ＴＭＳＩの一部分または関数とすることができる。例えばＷＴＲＵのためのＮWTRUIDは、ＩＭＳＩ−１０、Ｘを１０２４以下の数とし得るＩＭＳＩモジュロＸ、またはＹを１６，３８４以下の数とし得るＩＭＳＩモジュロＹとすることができる。ページングのためのＮＢの数は、例えばシステム情報内にブロードキャストされ得る高位レイヤシグナリングなどのシグナリングによって、ｅノードＢによって提供され、および／またはＷＴＲＵによって受信され得る。
【０１５６】
ページングのためのＮＢを決定するために、追加のＩＭＳＩビットまたはＩＭＳＩの追加の部分または関数が、ＷＴＲＵおよび／またはｅノードＢによって用いられ得る。ＭＭＥは、ｅノードＢへのＳ１ページングメッセージ内に追加ビットを含めることができる。ｅノードＢは追加ビットを受信することができ、それらを用いて、ＷＴＲＵをページングするためのＮＢを決定することができる。
【０１５７】
例えばページングのためのＮＢを決定するために、ＩＭＳＩモジュロＺの最上位Ｂビットが用いられることができ、ただしＺは、（２＾Ｂ）×１０２４、（２＾Ｃ）×１０２４、および１６，３８４以下の数の、少なくとも１つとすることができる。例においてＣは、Ｂとは異なり得る数または整数とすることができる。Ｂ個のＭＳＢ例えばＢ個のＭＳＢの値、ＭＢは、例えばＭＢモジュロＮbに従ってＮＢを決定するために用いられ得る。
【０１５８】
例においてページングのための１６個までの狭帯域が存在する場合、Ｂは４とすることができる。ページングのためのＮＢを決定するために、ＩＭＳＩモジュロ１６，３８４の４つのＭＳＢが用いられることができ、ただしＩＭＳＩモジュロ１６，３８４は、ＩＭＳＩモジュロＺおよびＺ＝（２＾Ｂ）×１０２４から導き出され得る。Ｂは４とすることができるので、（２＾４）×１０２４＝１６×１０２４＝１６，３８４である。さらにＢは４とすることができるので、４つのＭＳＢ、Ｍ４は、例えばＭ４モジュロＮbに従ってＮＢを決定するために用いられ得る。Ｍ４は４つのＭＳＢ、または４つのＭＳＢの値を表すように用いられ得る。
【０１５９】
他の例においてＢは３とすることができ、Ｃは４とすることができる。ページングのためのＮＢを決定するために、ＩＭＳＩモジュロ１６，３８４の３つのＭＳＢが用いられることができ、ただしＩＭＳＩモジュロ１６，３８４は、ＩＭＳＩモジュロＺおよびＺ＝（２＾Ｃ）×１０２４から導き出され得る。Ｃは４とすることができるので、（２＾４）×１０２４＝１６×１０２４＝１６，３８４である。さらにＢは３とすることができるので、３つのＭＳＢ、Ｍ３は、例えばＭ３モジュロＮbに従ってＮＢを決定するために用いられ得る。Ｍ３は３つのＭＳＢ、または３つのＭＳＢの値を表すように用いられ得る。
【０１６０】
他の例においてページングのために異なる数の狭帯域が用いられることができ本明細書で論じられる例と依然として一致し得る。さらに他の例においてＢに対して、Ｃに対して、または両方に対して異なる値が用いられ得る。
【０１６１】
ＩＭＳＩモジュロ１６，３８４に対応し得る１４ビット、ＩＭＳＩ−１４は、例えばＩＭＳＩ−１４モジュロＮbに従って、ＮＢを決定するために用いられ得る。さらにＩＭＳＩモジュロ１６，３８４に対応し得る１４ビット、ＩＭＳＩ−１４は、例えば１つまたは複数の他のパラメータによって変更されたＩＭＳＩ−１４モジュロＮbに従って、ＮＢを決定するために用いられ得る。
【０１６２】
図６は、ＷＴＲＵがＷＴＲＵ−ＩＤを用いて、Ｍ−ＰＤＣＣＨを監視するために用いるページングＮＢを決定することを示す例示のフローチャートの図である。フローチャート６００に示されるように、６１０でＷＴＲＵは、Ｍ−ＰＤＣＣＨを監視するために用いるために、ＷＴＲＵのためのページングＮＢを、ＷＴＲＵ−ＩＤの関数の少なくともＭＳＢに基づいて決定することができる。６２０でＷＴＲＵは、ＷＴＲＵのための決定されたページングＮＢ上でＭ−ＰＤＣＣＨに対して監視することができる。例えばＷＴＲＵは、ＷＴＲＵのＰＯとすることができＰＯ内またはその間に、決定されたページングＮＢ上でＭ−ＰＤＣＣＨに対して監視することができる。ＷＴＲＵは、Ｐ−ＲＮＴＩでマスクされたＭ−ＰＤＣＣＨに対して、またはＣＲＣがＰ−ＲＮＴＩでスクランブルされたＭ−ＰＤＣＣＨもしくはＤＣＩに対して監視することができる。次いで６３０でＷＴＲＵは、ＷＴＲＵのＰＯとなり得るＰＯの間に、決定されたページングＮＢ上で、監視されるＭ−ＰＤＣＣＨ上のＤＣＩを受信することができる。ＤＣＩは、Ｐ−ＲＮＴＩでスクランブルされ得るＣＲＣを含み得る。６５０でＷＴＲＵはＭ−ＰＤＣＣＨまたはＤＣＩに関連付けられた物理ダウンリンク共有チャネル（ＰＤＳＣＨ）、例えばＭ−ＰＤＣＣＨまたはＤＣＩによってスケジュールされたＰＤＳＣＨを受信することができる。ＷＴＲＵは、ＤＣＩまたはＰＤＳＣＨ内もしくはそれらから、システム情報更新関連情報および／またはページングメッセージを受信することができる。
【０１６３】
他の例においてページングのためのＮＢを決定するために、ＩＭＳＩ−１０の最上位Ｎビットが用いられ得る。Ｎは、例えばページングのためにＰＯ内で、構成されたまたは使用可能なＮＢの数の関数とすることができる。
【０１６４】
本明細書で述べられる実施形態および例において、移動体加入者識別番号（ＭＳＩＮ）という用語はＩＭＳＩと置き換えられることができ、逆も同様であり、本明細書で開示される実施形態および例と依然として一致し得る。さらにＭＳＩＮおよびＩＭＳＩのために、非限定的に８、１０、１４、１６、３２、６４などを含む様々な例示の桁数が用いられ得る。
【０１６５】
ＷＴＲＵがページングＨＦを決定する例が、本明細書で論じられる。ＰＨ内で、同じＩＭＳＩモジュロ１０２４を有するＷＴＲＵは、同じＰＦおよび同じＰＯを決定する場合がある。ページングパラメータによっては、ＷＴＲＵはＰＦおよびＰＯの間で良好に分配されない場合がある。
【０１６６】
ＩＭＳＩは１０進数字（０から９）から構成されることができ、モバイル国コード（ＭＣＣ）、モバイルネットワークコード（ＭＮＣ）、およびＭＳＩＮの１つまたは複数を含むことができる。ＩＭＳＩは、２進化１０進数（ＢＣＤ）表現を用いることができる。ＩＭＳＩは６４ビットを備えることができ、各桁は４つの個別のビットにわたって符号化され得る。桁０から９までは００００から１００１までにエンコードされることができ、オクテット当たり２つの桁が存在し得る。関数ＩＭＳＩモジュロＸに対して、ＩＭＳＩはＩＭＳＩの１０進数表現、ＩＭＳＩのＢＣＤ表現、ＩＭＳＩの１６進数表現、またはＩＭＳＩの他の表現とすることができる。
【０１６７】
例えばＷＴＲＵのためのおよび／またはそれによるページングＮＢの決定のための、本明細書で述べられる例の１つまたは複数は、例えばＷＴＲＵのためのおよび／またはそれによるＰＨ、ＰＦ、およびＰＯの１つまたは複数の決定に適用され得る。ＷＴＲＵのためのおよび／またはそれによるＰＨおよびＰＦ決定のそれぞれのために、例えばＷＴＲＵ−ＩＤの個別の、異なる関数、側面、または部分、例えばＩＭＳＩまたはｓ−ＴＭＳＩが用いられ得る。
【０１６８】
ＷＴＲＵ＿ＩＤPHは、ＰＨ計算において用いられ得るＷＴＲＵ−ＩＤの関数、側面または部分を表すことができる。ＷＴＲＵ＿ＩＤPFは、ＰＦ計算において用いられ得るＷＴＲＵ−ＩＤの関数、側面または部分を表すことができる。ＷＴＲＵ＿ＩＤPH−１０は、ＷＴＲＵ＿ＩＤPHモジュロ１０２４を表し得る。ＷＴＲＵ＿ＩＤPF−１０は、ＷＴＲＵ＿ＩＤPFモジュロ１０２４を表し得る。ＷＴＲＵの、ＭＭＥにより開始されるページングに対して、ＭＭＥはページを要求するためにｅノードＢへのＳ１ページングメッセージ内に、ＷＴＲＵ＿ＩＤPH−１０および／またはＷＴＲＵ＿ＩＤPF−１０を含めることができる。
【０１６９】
ＷＴＲＵ＿ＩＤPH−１０および／またはＷＴＲＵ＿ＩＤPF−１０は、ＭＭＥによってｅノードＢに与えられ得る。ＷＴＲＵ＿ＩＤPH−１０および／またはＷＴＲＵ＿ＩＤPF−１０は、サイズ１０のビットストリングとして、ＭＭＥによってｅノードＢに与えられ得る。ビットは標準の２進数表現、またはＢＣＤ表現に従い得る。
【０１７０】
ＷＴＲＵをページングするとき、ｅノードＢはＷＴＲＵ＿ＩＤPH−１０および／またはＷＴＲＵ＿ＩＤPF−１０を知り得る。ＷＴＲＵおよび／またはｅノードＢは、これらの値の一方または両方を用いて、ＷＴＲＵのＰＨおよび／またはＰＦを決定することができる。ＷＴＲＵおよび／またはｅノードＢは、ＷＴＲＵ＿ＩＤPH−１０を用いて、ページングのためのＷＴＲＵのＰＨを決定することができる。ＷＴＲＵおよび／またはｅノードＢは、ＷＴＲＵ＿ＩＤPF−１０を用いて、ページングのためのＷＴＲＵのＰＦを決定することができる。
【０１７１】
例においてＷＴＲＵ＿ＩＤPHは、ＷＴＲＵのＭＳＩＮとすることができる。ＭＳＩＮは、例えばＭＣＣおよびＭＮＣの連結が６桁である場合、１０進数表現でのＩＭＳＩの、Ｎ１例えば９つの１０進最下位桁とすることができる。ＭＳＩＮは、例えばＩＭＳＩが１５桁である場合、ＩＭＳＩの、Ｎ２例えば１０個の１０進最下位桁とすることができる。ＷＴＲＵ＿ＩＤPFは、ＷＴＲＵのＩＭＳＩとすることができる。ＷＴＲＵ＿ＩＤPH−１０はＭＳＩＮモジュロ１０２４とすることができ、および／またはＷＴＲＵ＿ＩＤPF−１０はＩＭＳＩモジュロ１０２４とすることができる。
【０１７２】
他の例において、ＷＴＲＵ＿ＩＤPHはＩＭＳＩとすることができ、ＷＴＲＵ＿ＩＤPFはＭＳＩＮとすることができる。他の例においてＩＭＳＩのＭＣＣおよびＭＮＣ部分の連結が偶数である場合、ＩＭＳＩは、ＩＭＳＩのＭＣＣおよびＭＮＣ部分の連結が奇数となるように変換され得る。例えば１が、ＩＭＳＩのＭＣＣおよびＭＮＣ部分の連結に加算され、またはそれから減算され得る。
【０１７３】
他の例においてＭＳＩＮ−１０Ｑは、ＦＬＯＯＲ［ＭＳＩＮ／１０２４］または（ＦＬＯＯＲ［ＭＳＩＮ／１０２４］）モジュロ１０２４を表すように用いられ得る。ＷＴＲＵ＿ＩＤPH−１０は、ＭＳＩＮ−１０Ｑとすることができる。
【０１７４】
変更されたページング受信の例が、本明細書で開示される。例においてＷＴＲＵは例えば通常の規則などの、規則のセットに従ってＰＨ、ＰＦ、およびＰＯを決定することができる。ＷＴＲＵは、いつページングのために監視するまたは監視をスキップするか、例えばいつページングＲＮＴＩでマスクされたＭ−ＰＤＣＣＨに対して監視するまたは監視をスキップするか、および／または関連付けられたＰＤＳＣＨまたはＰＣＨを受信するまたは受信をスキップするかを決定するために、追加の構成または情報を受信および／または使用することができる。
【０１７５】
構成および／または情報の少なくともいくつかは、ＮＡＳシグナリングを通じて、またはＲＲＣシグナリングを通じてｅノードＢを通じて、ＭＭＥによって提供され、またはそれから受信され得る。ＷＴＲＵはアイドルモードの間、構成および／または情報を維持し得る。ＷＴＲＵは、Ｉ−ｅＤＲＸサイクル当たり１つのＰＨ内のそれのＰＷのＰＦ内で、ページングに対して監視することができる。例においてＷＴＲＵは、１つまたは複数のＩ−ｅＤＲＸサイクル内のそれのＰＨをスキップするように、ならびに／もしくはそれのＰＷ内の１つまたは複数のＰＦをスキップするように構成され得る。
【０１７６】
例において、ＷＴＲＵがＰＦおよび／またはＰＨ内のページを読み出すもしくは受信し得る、または読み出しもしくは受信をスキップし得るかどうかを決定するために、ＷＴＲＵ  ＩＤが奇数かそれとも偶数であるかが用いられ得る。ページを読み出すおよび／または受信することは、ページングＲＮＴＩによってＭ−ＰＤＣＣＨに対して監視することに対応し得る。ページを読み出すおよび／または受信することは、ページングＲＮＴＩによって、Ｍ−ＰＤＣＣＨに関連付けられ得る、それによって示され得る、またはそれによって割り振られ得るＰＤＳＣＨを受信する、復号する、および／または読み出すことに対応し得る。ページを読み出すおよび／または受信することは、ページングメッセージを運び得るＰＤＳＣＨを受信する、復号する、および／または読み出すことに対応し得る。ページの読み出しまたは受信をスキップすることは、ページを読み出さないもしくは受信しない、または読み出しもしくは受信を試みないことと同じになり得る。ページの読み出しまたは受信をスキップすることは、ＰＯ、ＰＦ、またはＰＨの１つまたは複数をスキップすることと同じになり得る。
【０１７７】
ＷＴＲＵは、ＷＴＲＵ  ＩＤが奇数である場合、例えばＰＯ内のページを読み出すまたはそれに対して監視することができ、およびＷＴＲＵ  ＩＤが偶数である場合、例えば奇数ＷＴＲＵ  ＩＤを有するＷＴＲＵによる読み出しおよび／または監視が示される場合は、例えばＰＯ内のページの読み出しまたはそれに対する監視をスキップすることができる。ＷＴＲＵは、ＷＴＲＵ  ＩＤが偶数である場合、例えばＰＯ内のページを読み出すまたはそれに対して監視することができ、およびＷＴＲＵ  ＩＤが奇数である場合、例えば偶数ＷＴＲＵ  ＩＤを有するＷＴＲＵによる読み出しおよび／または監視が示される場合は、例えばＰＯ内のページの読み出しまたはそれに対する監視をスキップできる。
【０１７８】
ＷＴＲＵ＿ＩＤPH−１０および／またはＷＴＲＵ＿ＩＤPF−１０は、ＷＴＲＵ  ＩＤと置き換えられることができ、本開示と依然として一致し得る。ＷＴＲＵ  ＩＤは中でも、ＩＭＳＩモジュロ１０２４、ＭＳＩＮモジュロ１０２４、および／またはＦＬＯＯＲ［ＭＳＩＮ／１０２４］とすることができる。
【０１７９】
奇数番号が付けられたＷＴＲＵまたは偶数番号が付けられたＷＴＲＵがＰＦまたはＰＯ内でページを受信し得るかどうかは、ＷＴＲＵ  ＩＤ奇数／偶数インジケータ、ＰＨ奇数／偶数インジケータ、および／またはＰＦ奇数／偶数インジケータの、１つまたは複数に基づいて決定され得る。
【０１８０】
インジケータのために１ビットが用いられ得る。ビットの一方の状態は偶数を示すために用いられることができ、他方の状態は奇数を示すために用いられ得る。偶数に対して０、奇数に対して１が用いられることができ、逆も同様である。例えばｅノードＢによって、例えばページングのためのＭＩＢ内、ＳＩＢ内、またはＭ−ＰＤＣＣＨ内でインジケータの１つまたは複数がシグナリングされ得る。
【０１８１】
ＷＴＲＵは、それのＰＨおよび／またはＰＦおよび／またはＰＯの少なくとも１つの前に、インジケータの１つまたは複数を読み出すことができる。ＷＴＲＵは、それのＰＯの１つにおいて、ページングのためのＭ−ＰＤＣＣＨ内のインジケータの１つまたは複数を読み出すことができる。ＷＴＲＵはインジケータの１つまたは複数の状態を決定することができ、状態に基づいてＷＴＲＵは、ページに対して監視するおよび／またはページを運び得るＰＤＳＣＨを受信するかどうかを、決定することができる。１つまたは複数のＰＯ内のページングＭ−ＰＤＣＣＨに対して監視するかどうかを決定するために、ＷＴＲＵによって、ＭＩＢ内のインジケータが用いられ得る。ページングメッセージを運び得るＭ−ＰＤＣＣＨに関連付けられたＰＤＳＣＨを読み出すかどうかを決定するために、ＷＴＲＵによって、ページングのためのＭ−ＰＤＣＣＨ内のインジケータが用いられ得る。
【０１８２】
例えば、ＷＴＲＵ  ＩＤ奇数／偶数＝偶数、およびＰＨ奇数／偶数＝奇数に対して、偶数ＷＴＲＵ  ＩＤを有するＷＴＲＵは、奇数番号が付けられたＰＨにおいて、例えばそれにのみにおいて、ページを読み出すまたはそれに対して監視することができる。ＷＴＲＵは、偶数番号が付けられたＰＨ内のページの読み出しまたはそれに対する監視をスキップすることができる。奇数ＷＴＲＵ  ＩＤを有するＷＴＲＵは、ＷＴＲＵ奇数／偶数が例えば１つまたは複数の、例えば奇数および偶数ＰＨの両方において偶数に設定されたとき、ページの読み出しまたはそれに対する監視をスキップすることができる。
【０１８３】
例において（０，０）はＷＴＲＵ  ＩＤが偶数およびＰＨが偶数であることを意味することができ、（１，０）はＷＴＲＵ  ＩＤが奇数およびＰＨが偶数であることを意味することができ、（０，１）はＷＴＲＵ  ＩＤが偶数およびＰＨが奇数であることを意味することができ、ならびに（１，１）はＷＴＲＵ  ＩＤおよびＰＨが奇数であることを意味し得る。ｅノードＢは、ページング読み出しインジケータとしてこれらの符号の１つを、例えばいずれの時点でも用いることができる。
【０１８４】
他の例において奇数／偶数ＷＴＲＵ  ＩＤのために、単一のビットが用いられ得る。偶数ＷＴＲＵ  ＩＤを有するＷＴＲＵは、ＷＴＲＵ奇数／偶数が偶数に設定されているとき、ページを読み出すまたはそれに対して監視することができ、ＷＴＲＵ奇数／偶数が奇数に設定されているとき、ページの読み出しまたはそれに対する監視をスキップすることができる。奇数ＷＴＲＵ  ＩＤを有するＷＴＲＵは、ＷＴＲＵ奇数／偶数が奇数に設定されているとき、ページを読み出すまたはそれに対して監視することができ、ＷＴＲＵ奇数／偶数が偶数に設定されているとき、ページの読み出しまたはそれに対する監視をスキップすることができる。
【０１８５】
ｅノードＢは、ＭＩＢ内、またはＳＩＢ内、またはＭ−ＰＤＣＣＨ（もしくはＰＤＣＣＨ）内のページング読み出しインジケータの現在値のビットのいくつかまたはすべてを、シグナリングすることができる。ＷＴＲＵは、ｅノードＢによってシグナリングされたページングインジケータの値に基づいて、ＰＨをスキップする決定を行うことができる。ＷＴＲＵは、ページング読み出しインジケータの値に基づいて、ＰＦをスキップする決定を行うことができる。
【０１８６】
ｅノードＢは、ページング読み出しインジケータを用いて１つまたは複数のＷＴＲＵに、ＰＨおよび／またはＰＦ内のページをスキップするまたは読み出すことを示すことができる。ｅノードＢは、個別のページング読み出しインジケータを用いて、ＰＦ内のページをスキップするまたは読み出すこと、およびＰＨ内のすべてのＰＦ内のページをスキップするまたは読み出すことを示すことができる。
【０１８７】
奇数／偶数表示は、グループを区別するための別の手段を表し得るグループＩＤによって置き換えられ得る。適切なように、より多くのビットが用いられ得る。例えば４つのグループが存在する場合があり、ＷＴＲＵ  ＩＤの最下位２ビットは、どのＷＴＲＵがページを読み出すまたはそれに対して監視することができるかの決定のために用いられ得る。
【０１８８】
ＰＯ内で、複数のＷＴＲＵを対象とする複数のページングメッセージは、トランスポートブロックに多重化され、チャネル符号化器によって一緒に符号化されることができ、ＷＴＲＵは異なるカバレッジレベルを有する場合があり、従って最も悪いカバレッジのケースを目標とする反復を必要とする。これは結果として、ページング送信のためのリソース浪費となり得る。
【０１８９】
例において複数のページングメッセージは、ＰＤＳＣＨ送信内で符号ブロックセグメントとして個別に符号化され得る。例えばＰＤＳＣＨ、例えば１つまたは複数のページングメッセージを運ぶＮＢ−ＰＤＳＣＨは、各ＰＯ内で、関連付けられたＰＤＣＣＨ例えばＮＢ−ＰＤＣＣＨによってスケジュールされ得る。ＰＤＳＣＨ内で多重化されたページングメッセージは、１つまたは複数の符号ブロックセグメントに分割され得る。
【０１９０】
各符号ブロックセグメントはチャネル符号、例えばターボ符号、畳み込み符号、またはブロック符号によって個別に符号化され得る。各符号ブロックセグメントには、ＣＲＣが付加され得る。符号ブロックセグメントは、１つまたは複数のページングメッセージに関連付けられ得る。符号ブロックセグメントは、１つまたは複数のカバレッジレベルに関連付けられ得る。符号ブロックセグメントは、ＷＴＲＵ−ＩＤに関連付けられ得る。ＰＯ決定および符号ブロックセグメント決定のために用いられるＷＴＲＵ−ＩＤは、異なり得る。例えばＰＯは第１のＷＴＲＵ−ＩＤ例えばＩＭＳＩ−１０に基づいて決定されることができ、一方、符号ブロックセグメントは第２のＷＴＲＵ−ＩＤ例えばｓ−ＴＭＳＩに基づいて決定され得る。
【０１９１】
図７は、ＰＯ内の関連付けられたＰＤＣＣＨによってスケジュールされ得る、ＰＤＳＣＨ内の符号ブロックセグメント多重化の例を示す図である。ページングメッセージ、ページング情報、およびページングレコードは、同義的に用いられ得る。図７００に示されるように符号ブロックセグメント７１０、７２０、および７８０はそれぞれ、１つまたは複数のそれぞれのカバレッジレベルまたはＣＥレベルに関連付けられ得る。例えば符号ブロックセグメント７１０はＣＥレベル１に関連付けられ、符号ブロックセグメント７２０はＣＥレベル２に関連付けられ、および符号ブロックセグメント７８０はＣＥレベル３に関連付けられ得る。
【０１９２】
１つまたは複数のページングメッセージを運ぶＰＤＳＣＨは、複数のサブフレームにわたって送信され得る。ＰＤＳＣＨ送信のために用いられるサブフレームの数は、関連付けられたＰＤＣＣＨから示され得る。ＰＤＳＣＨ送信のためのサブフレームの数はトランスポートブロックサイズに基づいて決定されることができ、トランスポートブロックサイズは、ＰＤＳＣＨ内で多重化されたすべての符号ブロックセグメントを含み得る。反復の数は、関連付けられたＰＤＣＣＨから示され得る。例えばＰＤＳＣＨ送信のためのサブフレームの数Ｎｓは、トランスポートブロックサイズの関数として決定されることができ、反復の数Ｎｒｅｐは、関連付けられたＰＤＣＣＨから示され得る。反復を含むＰＤＳＣＨ送信のために用いられるサブフレームの総数は、Ｎｓ×Ｎｒｅｐとなり得る。
【０１９３】
ＮＢサブフレームは、１つまたは複数のサブフレームを含むことができる。ＮＢサブフレーム長さは、ＰＤＳＣＨ送信のトランスポートブロックサイズに基づいて決定され得る。
【０１９４】
符号ブロックセグメントはＮＢサブフレーム内で送信されることができ、例えばサブフレームの数、ＴＴＩ、ｍｓなどとしてのＮＢサブフレーム長さは、符号ブロックセグメントのサイズに基づいて決定され得る。複数の符号ブロックセグメントは、ＰＤＳＣＨ内で多重化され得る。図７に示される例において符号ブロックセグメント７１０、７２０、および７８０は、ＰＤＳＣＨ７９０内で多重化され得る。例においてＮｃ個の符号ブロックセグメントがＰＤＳＣＨ内で多重化される場合、ＰＤＳＣＨはＮｃ個のＮＢサブフレームにわたって送信され得る。符号ブロックセグメントに関連付けられたＮＢサブフレーム長さは、符号ブロックセグメントサイズに基づいて決定され得る。符号ブロックセグメントのサイズは、関連付けられたＰＤＣＣＨ内で示され得る。符号ブロックセグメントサイズに基づいてＷＴＲＵは、各符号ブロックセグメントのＮＢサブフレーム長さを決定することができる。
【０１９５】
１つまたは複数の符号ブロックセグメントはＰＤＳＣＨ内で多重化されることができ、各符号ブロックセグメントに対する時間／周波数リソース位置は予め規定され得る。ＷＴＲＵはＰＤＳＣＨ内のすべての符号ブロックセグメントを監視することができ、またはＷＴＲＵは符号ブロックセグメントのサブセットを監視することができる。各符号ブロックセグメントはＣＥレベルに関連付けられることができ、一定のＣＥレベルを有するＷＴＲＵは、ＣＥレベルに関連付けられた符号ブロックセグメントを監視する、復号を試みる、または受信することができる。各符号ブロックセグメントは、ＷＴＲＵ−ＩＤまたはＷＴＲＵグループＩＤに関連付けられることができ、ＷＴＲＵはＷＴＲＵ−ＩＤまたはＷＴＲＵグループＩＤに関連付けられた符号ブロックセグメントを監視する、復号を試みる、または受信することができる。
【０１９６】
例において複数のページングメッセージは、符号ブロックセグメントとして個別に符号化されることができ、各符号ブロックセグメントは、ＰＤＳＣＨ内で送信され得る。例えばＮｃ個の符号ブロックセグメントが送信される場合、Ｎｃ個のＰＤＳＣＨが送信されることができ、Ｎｃ個のＰＤＳＣＨはＰＯ内の関連付けられたＰＤＣＣＨにおいてスケジュールされ得る。符号ブロックセグメントを運ぶ各ＰＤＳＣＨは、１つまたは複数のサブフレーム内で送信され得る。符号ブロックセグメントを運ぶ各ＰＤＳＣＨの開始サブフレームは、関連付けられたＰＤＣＣＨの最後のサブフレームに基づいて決定され得る。あるいは符号ブロックセグメントを運ぶ各ＰＤＳＣＨの開始サブフレームは、関連付けられたＰＤＣＣＨの最後のサブフレーム、および符号ブロックセグメントのサイズに基づいて決定され得る。符号ブロックセグメントを運ぶＰＤＳＣＨのためのサブフレームの数は、符号ブロックセグメントのサイズに基づいて決定され得る。符号ブロックセグメントのサイズは、符号化およびレートマッチングの後の、符号ブロックセグメントのためのビット数とすることができる。
【０１９７】
図８は、ＰＯ内の関連付けられたＰＤＣＣＨによってスケジュールされ得る、複数のＰＤＳＣＨを通じて送信される符号ブロックセグメントの例を示す図である。ＰＯ内で送信される関連付けられたＰＤＣＣＨは、ページングメッセージを運ぶ１つまたは複数のＰＤＳＣＨをスケジュールすることができる。ＰＤＳＣＨは、符号ブロックセグメントに関連付けられ得る。
【０１９８】
図８００に示されるように、図７のものと同様に符号ブロックセグメント８１０、８２０、および８６０はそれぞれ、１つまたは複数のそれぞれのカバレッジレベルまたはＣＥレベルに関連付けられ得る。例えば符号ブロックセグメント８１０はＣＥレベル１に関連付けられ、符号ブロックセグメント８２０はＣＥレベル２に関連付けられ、および符号ブロックセグメント８６０はＣＥレベル３に関連付けられ得る。しかし図８において各異なるそれぞれのＰＤＳＣＨは、各異なるそれぞれの符号ブロックセグメントに関連付けられ得る。例えば符号ブロックセグメント８１０はＰＤＳＣＨ８７０に関連付けられ、符号ブロックセグメント８２０はＰＤＳＣＨ８８０に関連付けられ、および符号ブロックセグメント８６０はＰＤＳＣＨ８９０に関連付けられ得る。
【０１９９】
ＰＤＳＣＨは、時間領域において多重化され得る。例えばＰＤＳＣＨは、異なる時点（例えば異なる時間ウィンドウ）において送信され得る。ＰＤＳＣＨの開始サブフレームは、関連付けられたＰＤＣＣＨの最後のサブフレームに基づいて予め決定され得る。
【０２００】
他の例において符号ブロックセグメントを運ぶＰＤＳＣＨは、関連付けられたＰＤＣＣＨなしに送信され得る。各ＰＯ内に１つまたは複数の時間ウィンドウが構成され、用いられ、または割り振られることができ、ＷＴＲＵは時間ウィンドウ内で符号ブロックセグメントを運ぶＰＤＳＣＨの復号、監視、または受信を試みることができる。ＰＤＳＣＨのための符号ブロックセグメントサイズは、予め規定され得る。１つまたは複数の符号ブロックセグメントサイズが用いられることができ、ＷＴＲＵはすべての候補符号ブロックセグメントサイズの復号を試みることができる。ＰＤＳＣＨのための時間ウィンドウは、非重複とすることができる。各時間ウィンドウは、ＣＥレベルまたはＷＲＴＵ−ＩＤに関連付けられ得る。
【０２０１】
他の例において、符号ブロックセグメントを運ぶ１つまたは複数のＰＤＳＣＨが送信されることができ、第１のＰＤＳＣＨは関連付けられたＰＤＣＣＨによってスケジュールされることができ、および後続のＰＤＳＣＨは前のＰＤＳＣＨに基づいてスケジュールされ得る。符号ブロックセグメントを運ぶ後続のＰＤＳＣＨが続き得るか、または送信され得るかを示すための表示が、ＰＤＳＣＨ内で送信され得る。表示は、ＣＲＣにおいてマスクされたシーケンスに基づくことができる。例えばＣＲＣが第１のシーケンスでマスクされた場合、後続のＰＤＳＣＨは存在し得ないが、ＣＲＣが第２のシーケンスでマスクされた場合、後続のＰＤＳＣＨが存在し得る。表示は、符号ブロックセグメント内で送信されるビットとすることができる。スケジューリング情報は、表示を有して送信され得る。第１のＰＤＳＣＨは最も高いＣＥレベル、例えば最も大きな反復数に基づくことができ、後続のＰＤＳＣＨはより低いＣＥレベルに基づくことができる。符号ブロックセグメントおよびページングメッセージという用語は、本明細書では同義的に用いられ得る。
【０２０２】
以下の例は、ＰＤＳＣＨスケジューリングなしに、ページングＤＣＩ内で直接表示を送ることを含む。ｅノードＢが、同期信号および／またはＮＢマスタ情報ブロック（ＮＢ−ＭＩＢ）および／またはＮＢ−ＳＩＢなどのブロードキャスト信号を含み得るアンカーＲＢ例えばアンカーＰＲＢの周波数位置を、更新または変化させるとき、ｅノードＢは、ＲＲＣアイドルモードにあるＷＴＲＵに対するページングを通じて、更新または変化を示すことが必要になり得る。表示ビットがページングメッセージ内で送信される場合、ｅノードＢはすべてのＰＯ内でこの信号を送る必要があり得るので、リソースオーバーヘッドは著しく増加され得る。
【０２０３】
例においてＷＴＲＵは、ＮＢ−ＰＤＣＣＨ探索空間内に位置するＤＣＩを監視するまたは復号を試みることができる。ＮＢ−ＰＤＣＣＨは、ＰＯ内にあり得る。ＮＢ−ＰＤＣＣＨおよび／またはＰＯは、ＷＴＲＵを対象とし得る。ＤＣＩは、１つまたは複数の情報タイプを運び得る。情報タイプおよびＤＣＩ内容という用語は、本明細書では同義的に用いられ得る。以下の例示のパラメータの１つまたは複数が適用され得る。
【０２０４】
第１の情報タイプは、ページングメッセージを運ぶ関連付けられたＰＤＳＣＨのスケジューリング情報とすることができる。第２の情報タイプは、システム構成に関連し得る直接表示とすることができる。第２の情報タイプは、関連付けられたＰＤＳＣＨのスケジューリング情報を含まなくてもよい。
【０２０５】
システム構成に関連する情報タイプは、以下のパラメータまたは表示の少なくとも１つを含み得る：システム情報更新表示；ＥＴＷＳまたはＣＭＡＳ表示などの公共警報表示；ＥＡＢパラメータ変更表示などのアクセス禁止パラメータ；１つまたは複数のＳＩＢのスケジューリング情報であり、１つまたは複数のＳＩＢは関連付けられたＤＬ制御チャネル（ＮＢ−ＰＤＣＣＨ）なしに送信され得る；アンカーＲＢに関連する構成情報、例えばＮＢ−ＩｏＴに対するアンカーＰＲＢ；セル固有基準信号（ＣＲＳ）ポートに対するＰＣＩとＮＢ基準信号（ＮＢ−ＲＳ）に対するＰＣＩとが同じかどうかを示し得る、同一物理セルＩＤ（ＰＣＩ）インジケータ；およびどのＳＩＢが更新されるかを示すための１つまたは複数のビットを含み得る値タグ。
【０２０６】
ＳＩＢのスケジューリング情報は、以下のパラメータの少なくとも１つを含み得る：トランスポートブロックサイズ（ＴＢＳ）、周波数位置、周波数ホッピング関連情報、および例えば反復数とすることができるカバレッジレベル。本明細書で述べられるアンカーＲＢ例えばアンカーＰＲＢは、以下の少なくとも１つを含み得る、またはその送信を含み得る：同期信号（例えばＮＢプライマリ同期信号（ＮＢ−ＰＳＳ）、ＮＢセカンダリ同期信号ＮＢ−ＳＳＳなど）、ブロードキャスト信号（例えばＮＢ物理ブロードキャストチャネル（ＮＢ−ＰＢＣＨ）、ＮＢ−ＳＩＢなど）、およびＮＢ−ＰＤＣＣＨ共通探索空間。アンカーＲＢ、例えばアンカーＰＲＢのための構成情報は、以下のパラメータの少なくとも１つを含むことができる：システム帯域幅内のＲＢ位置例えばＰＲＢ位置、ラスタオフセット、およびＮＢ−ＳｙｎｃのＰＣＩ。
【０２０７】
例においてＤＣＩに対する情報タイプは、ＤＣＩ内のフラグフィールドに基づいて決定され得る。例えばフラグフィールドは、運ばれる情報タイプ示すことができる。他の例においてＤＣＩに対する情報タイプは、ＤＣＩのために用いられるＲＮＴＩに基づいて決定され得る。ＤＣＩが対応するＰＤＳＣＨのスケジューリング情報を運ぶ場合、第１のＲＮＴＩ（例えばＰ−ＲＮＴＩ−１）が用いられ得る。ＤＣＩがシステム構成に関連する１つまたは複数の表示などの直接情報を運ぶ場合、第２のＲＮＴＩ（例えばＰ−ＲＮＴＩ−２）が用いられ得る。他の例においてＤＣＩに対する情報タイプは、ＤＣＩのために用いられるスクランブリングシーケンス、または用いられる開始ＥＣＣＥインデックスに基づいて決定され得る。
【０２０８】
ｅノードＢは、ブロードキャスト送信またはマルチキャスト送信を示すまたは提供するために、１つまたは複数のＷＴＲＵをページングすることができる。例えば１つまたは複数のＮＢ−ＩｏＴデバイスのソフトウェア更新のためにまたはそれを行うためになど、例えばＷＴＲＵのグループまたはセル内のすべてのＷＴＲＵへのダウンリンクバースト送信のために、ｅノードＢはＷＴＲＵのグループまたはセル内のすべてのＷＴＲＵをページングし得るまたはページングする必要があり得る。例えばＷＴＲＵがＲＲＣアイドルにある場合、ｅノードＢはＷＴＲＵのグループまたはセル内のすべてのＷＴＲＵをページングする必要があり得る。ｅノードＢは、ＷＴＲＵ専用リソースを通じて、各ＷＴＲＵに対してダウンリンクバーストを送信する必要があり得る。これは結果として、非効率的なリソース利用およびＷＴＲＵ電池消費を生じ得る。本明細書ではダウンリンクバースト送信は、ブロードキャストまたはマルチキャスト送信の非限定的な例として用いられ得る。
【０２０９】
例においてダウンリンクバースト送信のために、共通ＰＯが用いられ得る。例えば一定のＲＮＴＩ、例えばダウンリンクバーストＲＮＴＩ（ＤＢ−ＲＮＴＩ）でスクランブルされたＤＣＩは、共通ＰＯ内のＰＤＣＣＨ探索空間内でＷＴＲＵによって監視され得る。ＤＣＩは、ダウンリンクバーストトラフィックを運ぶＰＤＳＣＨをスケジュールすることができる。
【０２１０】
ＷＴＲＵは、ＰＤＣＣＨ探索空間内のＤＣＩを監視するまたは復号を試みることができる。ＰＤＣＣＨ探索空間は、共通ＰＯに対して構成されまたは用いられる一定の時間／周波数リソース内に位置し得る。共通ＰＯに対する時間／周波数リソースは以下のパラメータの少なくとも１つに基づいて決定され得る：システムパラメータ、例えばシステム帯域幅、物理セルＩＤ、複信モード、ＴＤＤサブフレーム構成など；サブフレーム番号および／または無線フレーム番号、例えばＳＦＮ；ＷＴＲＵ−ＩＤ、例えばＩＭＳＩ、ｓ−ＴＭＳＩなどの完全なまたは部分的な情報など；動作モード、例えば帯域内、ガード帯域、およびスタンドアロン動作など；例えば反復数によって表され得る１つまたは複数のカバレッジレベル；ＷＴＲＵカテゴリおよび／またはＷＴＲＵ能力；および構成または決定され得るページングＮＢ。
【０２１１】
ＤＣＩは、ダウンリンクバースト送信のためのＰＤＳＣＨ送信を活動化および／または非活動化することができる。ＰＤＳＣＨは、予め規定され時間／周波数リソース内で送信され得る。予め規定された時間／周波数リソースは、デューティサイクルを有して送信され得る。
【０２１２】
例においてダウンリンクバーストのスケジューリング情報は、ブロードキャストチャネル内またはシステム情報内、例えばＭＩＢまたはＳＩＢ内で送信され得る。ＷＴＲＵは、ブロードキャストチャネルまたはシステム情報を読み出すように、表示を受信することができ、または示される、トリガされる、もしくは知らされ得る。表示はページングメッセージ内で、またはページングのためのＤＣＩ内の直接表示として、シグナリングされ得る。ダウンリンクバーストのスケジューリング情報は、ブロードキャストチャネル内またはシステム情報内で送信され得る。ＷＴＲＵがシステム情報更新表示を受信した場合、ＷＴＲＵはブロードキャストチャネルまたはシステム情報を受信するまたは復号を試みることができる。
【０２１３】
例においてダウンリンクバースト送信のために、順序付けられたＰＤＳＣＨ送信が用いられ得る。例えばダウンリンクバーストトラフィックは、Ｎ＿ｂｕｒｓｔ個のトランスポートブロックに分割されることができ、増加する順序で番号が付けられ得る。各トランスポートブロックは、ＰＤＳＣＨ送信内で送信され得る。ダウンリンクバースト送信のためのスケジューリング情報は、ダウンリンクバースト送信のための、例えばＮ＿ｂｕｒｓｔによって表されるトランスポートブロックの数を示すことができる。１つまたは複数のダウンリンクバーストランスポートブロックを運ぶＰＤＳＣＨのためのスケジューリング情報は、ＰＤＳＣＨの順序付け番号を示すことができる。
【０２１４】
各トランスポートブロックは、一定の時間および／または周波数リソース内で送信され得る。一定のトランスポートブロック番号を有するトランスポートブロックは、一定のサブフレーム番号、一定のＳＦＮ、および／または一定のハイパーフレーム番号に関連付けられ得る。従ってＷＴＲＵは、バースト送信のための一定の時間／周波数リソース内で、どのトランスポートブロックが送信され得るかを決定する、想定する、または理解することができる。ＷＴＲＵがＮ＿ｂｕｒｓｔ個のトランスポートブロックの、トランスポートブロックのサブセットの受信に失敗した場合、ＷＴＲＵは失敗したトランスポートブロックを、次のダウンリンクバースト送信内で受信することができる。一定のトランスポートブロック番号を有するトランスポートブロックは、一定の周波数リソースに関連付けられ得る。一定の時間／周波数リソースは、より高位のレイヤのシグナリングを通じて構成され得る。
【０２１５】
トランスポートブロックを運ぶ各ＰＤＳＣＨは反復を用いて送信されることができ、反復数はスケジューリング情報内で示され得る。反復数は、非反復の場合として「１」の値を含むことができる。
【０２１６】
例において、ダウンリンクバースト送信のための１つまたは複数のＰＤＳＣＨ送信の受信に失敗したＷＴＲＵは、以下のアクションの１つまたは複数を行うことができる。ＷＴＲＵは、次に続く送信または次に続く送信ウィンドウ内で、失敗したＰＤＳＣＨ送信の受信を試みることができる。試行の最大数は、より高位のレイヤによって予め規定されまたは構成され得る。試行の最大数は、「１」の値を含むことができる。
【０２１７】
ＷＴＲＵが最大試行数の後に１つまたは複数のＰＤＳＣＨ送信の受信に失敗した場合、ＷＴＲＵは例えばＲＲＣアイドルモードからＲＲＣ接続モードへなど、動作モードを変化させることを試みることができ、および／またはＷＴＲＵはランダムアクセスまたはランダムアクセスチャネル（ＲＡＣＨ）手順を開始することができる。
【０２１８】
他の例においてダウンリンクバースト送信のための１つまたは複数のＰＤＳＣＨ送信の受信に失敗したＷＴＲＵは、以下のアクションの１つまたは複数を行うことができる。ＷＴＲＵは、対応するハイブリッド自動再送要求肯定応答（ＨＡＲＱ−ＡＣＫ）送信を、関連付けられたＨＡＲＱ−ＡＣＫリソース内で送ることができる。受信失敗に対するＨＡＲＱ送信は、否定応答（ＮＡＣＫ）とすることができる。物理ランダムアクセスチャネル（ＰＲＡＣＨ）リソースのサブセットは、ダウンリンクバースト送信のための関連付けられたＨＡＲＱ−ＡＣＫリソースとして予約され得る。例えばＷＴＲＵは、ダウンリンクバースト送信のための１つまたは複数のＰＤＳＣＨ送信の受信に失敗したとき、ＮＡＣＫとすることができるＨＡＲＱ送信をＰＲＡＣＨリソース上で送ることができる。物理アップリンク制御チャネル（ＰＵＣＣＨ）リソースのセットは、ＨＡＲＱ送信のために例えばＮＡＣＫ送信のために構成され、示され、または用いられ得る。例えばＷＴＲＵは、ダウンリンクバースト送信のための１つまたは複数のＰＤＳＣＨ送信の受信に失敗したとき、構成され得るまたは示され得るＰＵＣＣＨリソース上で、ＮＡＣＫとすることができるＨＡＲＱ送信を送ることができる。
【０２１９】
特徴および要素は上記では特定の組み合わせにおいて述べられたが、当業者は、各特徴または要素は単独で、または他の特徴および要素との任意の組み合わせにおいて用いられ得ることを理解するであろう。さらに本明細書で述べられる方法は、コンピュータまたはプロセッサによる実行のためにコンピュータ可読媒体に組み込まれたコンピュータプログラム、ソフトウェア、またはファームウェアにおいて実現され得る。コンピュータ可読媒体の例は、電子信号（有線または無線接続を通して送信される）、およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含むが、それらに限定されない。ＷＴＲＵ、ＵＥ、端末装置、基地局、ＲＮＣ、または任意のホストコンピュータにおける使用のために、無線周波数トランシーバを実行するように、ソフトウェアと関連してプロセッサが用いられ得る。
【産業上の利用可能性】
【０２２０】
本発明は、一般的に無線通信システムに利用することができる。
【符号の説明】
【０２２１】
１００  通信システム
１０２、１０２ａ〜１０２ｄ
１０４  ＲＡＮ
１０６  コアネットワーク
１０８  ＰＳＴＮ
１１０  インターネット
１１２  その他のネットワーク
１１４ａ、１１４ｂ  基地局
１１８プロセッサ
１２０  送受信機
１２２  アンテナ
１４０ａ〜１４０ｃ  ノードＢ
１６０  ＷＬＡＮ
【図１Ａ】
2020108153.tif 000009
【図１Ｂ】
2020108153.tif 000010
【図１Ｃ】
2020108153.tif 000011
【図２】
2020108153.tif 000012
【図３】
2020108153.tif 000013
【図４】
2020108153.tif 000014
【図５】
2020108153.tif 000015
【図６】
2020108153.tif 000016
【図７】
2020108153.tif 000017
【図８】
2020108153.tif 000018
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
マシンタイプ通信（ＭＴＣ）無線送受信ユニット（ＷＴＲＵ）において行われる方法であって、
前記ＷＴＲＵによって、ＷＴＲＵ識別子（ＷＴＲＵ−ＩＤ）の関数の少なくとも最上位ビット（ＭＳＢ）に基づいて、ＭＴＣ物理ダウンリンク制御チャネル（Ｍ−ＰＤＣＣＨ）を監視するために用いる、前記ＷＴＲＵのためのページング狭帯域（ＮＢ）を決定するステップと、
前記ＷＴＲＵによって、前記ＷＴＲＵのための前記決定されたページングＮＢ上で前記Ｍ−ＰＤＣＣＨに対して監視するステップと、
前記ＷＴＲＵによって、ページングオケージョン（ＰＯ）の間に、前記決定されたページングＮＢ上で、前記監視されたＭ−ＰＤＣＣＨ上でダウンリンク制御情報（ＤＣＩ）を受信するステップと、
前記ＷＴＲＵによって、前記Ｍ−ＰＤＣＣＨに関連付けられた物理ダウンリンク共有チャネル（ＰＤＳＣＨ）を受信するステップと
を備えたことを特徴とする方法。
【請求項２】
前記ＷＴＲＵは、前記ＷＴＲＵ−ＩＤの関数の少なくとも３つのＭＳＢに基づいて前記ページングＮＢを決定することを特徴とする請求項１に記載の方法。
【請求項３】
前記ＷＴＲＵは、前記ＷＴＲＵ−ＩＤの関数の少なくとも４つのＭＳＢに基づいて前記ページングＮＢを決定することを特徴とする請求項１に記載の方法。
【請求項４】
前記ＤＣＩは、ページング無線ネットワーク一時識別子（Ｐ−ＲＮＴＩ）でスクランブルされた巡回冗長検査（ＣＲＣ）を含むことを特徴とする請求項１に記載の方法。
【請求項５】
前記ＰＤＳＣＨは、前記ＤＣＩによってスケジュールされることを特徴とする請求項１に記載の方法。
【請求項６】
前記ＤＣＩは、システム情報更新関連情報を含むことを特徴とする請求項１に記載の方法。
【請求項７】
前記ＰＤＳＣＨは、システム情報更新関連情報を含むことを特徴とする請求項１に記載の方法。
【請求項８】
前記ＰＤＳＣＨは、ページングメッセージを含むことを特徴とする請求項１に記載の方法。
【請求項９】
前記ＷＴＲＵ−ＩＤは、ＷＴＲＵ国際移動体加入者識別番号（ＩＭＳＩ）であることを特徴とする請求項１に記載の方法。
【請求項１０】
前記関数は、ＩＭＳＩ  ｍｏｄ  １６，３８４を含むことを特徴とする請求項９に記載の方法。
【請求項１１】
前記ＷＴＲＵのための前記ページングＮＢを決定するステップは、ページングのためのＮＢの数にさらに基づくことを特徴とする請求項１に記載の方法。
【請求項１２】
マシンタイプ通信（ＭＴＣ）無線送受信ユニット（ＷＴＲＵ）であって、
ＷＴＲＵ識別子（ＷＴＲＵ−ＩＤ）の関数の少なくとも最上位ビット（ＭＳＢ）に基づいて、ＭＴＣ物理ダウンリンク制御チャネル（Ｍ−ＰＤＣＣＨ）を監視するために用いる、前記ＷＴＲＵのためのページング狭帯域（ＮＢ）を決定するように構成されたプロセッサと、
前記プロセッサに動作可能に結合されたトランシーバであって、前記トランシーバおよびプロセッサは、前記ＷＴＲＵのための前記決定されたページングＮＢ上で前記Ｍ−ＰＤＣＣＨに対して監視するように構成される、トランシーバと
を備え、前記トランシーバおよびプロセッサは、ページングオケージョン（ＰＯ）の間に、前記決定されたページングＮＢ上で、前記監視されたＭ−ＰＤＣＣＨ上でダウンリンク制御情報（ＤＣＩ）を受信するように構成され、
前記トランシーバおよびプロセッサは、前記Ｍ−ＰＤＣＣＨに関連付けられた物理ダウンリンク共有チャネル（ＰＤＳＣＨ）を受信するように構成されたことを特徴とするＷＴＲＵ。
【請求項１３】
前記ＷＴＲＵは、前記ＷＴＲＵ−ＩＤの関数の少なくとも３つのＭＳＢに基づいて前記ページングＮＢを決定することを特徴とする請求項１２に記載のＷＴＲＵ。
【請求項１４】
前記ＷＴＲＵは、前記ＷＴＲＵ−ＩＤの関数の少なくとも４つのＭＳＢに基づいて前記ページングＮＢを決定することを特徴とする請求項１２に記載のＷＴＲＵ。
【請求項１５】
前記ＤＣＩは、ページング無線ネットワーク一時識別子（Ｐ−ＲＮＴＩ）でスクランブルされた巡回冗長検査（ＣＲＣ）を含むことを特徴とする請求項１２に記載のＷＴＲＵ。
【請求項１６】
前記ＰＤＳＣＨは、前記ＤＣＩによってスケジュールされることを特徴とする請求項１２に記載のＷＴＲＵ。
【請求項１７】
前記ＤＣＩは、システム情報更新関連情報を含むことを特徴とする請求項１２に記載のＷＴＲＵ。
【請求項１８】
前記ＰＤＳＣＨは、システム情報更新関連情報を含むことを特徴とする請求項１２に記載のＷＴＲＵ。
【請求項１９】
前記ＰＤＳＣＨは、ページングメッセージを含むことを特徴とする請求項１２に記載のＷＴＲＵ。
【請求項２０】
前記ＷＴＲＵ−ＩＤは、ＷＴＲＵ国際移動体加入者識別番号（ＩＭＳＩ）であることを特徴とする請求項１２に記載のＷＴＲＵ。
【請求項２１】
前記関数は、ＩＭＳＩ  ｍｏｄ  １６，３８４を含むことを特徴とする請求項２０に記載のＷＴＲＵ。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）において行われる方法であって、
前記ＷＴＲＵのための物理ダウンリンク制御チャネル（ＰＤＣＣＨ）信号についてＰＤＣＣＨ候補のセットを監視するステップであって、前記ＷＴＲＵのための前記ＰＤＣＣＨ信号は第１の無線ネットワーク一時識別子（ＲＮＴＩ）に基づいてスクランブルされたシーケンスを含み、前記シーケンスはダウンリンク制御情報（ＤＣＩ）および第２のＲＮＴＩによってスクランブルされた巡回冗長検査（ＣＲＣ）を含み、前記第１のＲＮＴＩに基づいてスクランブルされた前記シーケンスは、前記ＷＴＲＵのための前記ＰＤＣＣＨ信号がＷＴＲＵ固有探索空間において受信されるかどうかに基づいて決定される、ステップと、
前記ＰＤＣＣＨ候補の前記セットが前記ＷＴＲＵのための前記ＰＤＣＣＨ信号を含むかどうかを前記第１のＲＮＴＩおよび前記第２のＲＮＴＩに基づいて決定するステップと、
前記ＰＤＣＣＨ候補の前記セットが前記ＷＴＲＵのための前記ＰＤＣＣＨ信号を含む条件で、前記ＤＣＩに関連付けられた物理ダウンリンク共有チャネル（ＰＤＳＣＨ）上でデータを受信するステップと
を備えることを特徴とする方法。
【請求項２】
前記第１のＲＮＴＩは、ＷＴＲＵ識別子（ＷＴＲＵ−ＩＤ）であることを特徴とする請求項１に記載の方法。
【請求項３】
前記ＷＴＲＵのための前記ＰＤＣＣＨ信号をＷＴＲＵ固有探索空間において受信する条件で、前記第１のＲＮＴＩは前記第２のＲＮＴＩと同じであることを特徴とする請求項１に記載の方法。
【請求項４】
第１のＲＮＴＩに基づいてスクランブルされた前記シーケンスは、ＷＴＲＵ固有探索空間において受信されることを特徴とする請求項１に記載の方法。
【請求項５】
前記ＰＤＳＣＨは、前記ＤＣＩによってスケジュールされることを特徴とする請求項１に記載の方法。
【請求項６】
前記シーケンスは、前記第１のＲＮＴＩによって初期化される第２のＲＮＴＩによってスクランブルされることを特徴とする請求項１に記載の方法。
【請求項７】
前記第１のＲＮＴＩは、前記第２のＲＮＴＩと異なることを特徴とする請求項１に記載の方法。
【請求項８】
無線送受信ユニット（ＷＴＲＵ）であって、
プロセッサと、
前記プロセッサに動作可能に結合された送受信機であって、
前記プロセッサおよび前記送受信機は、前記ＷＴＲＵのための物理ダウンリンク制御チャネル（ＰＤＣＣＨ）信号についてＰＤＣＣＨ候補のセットを監視するよう構成され、前記ＷＴＲＵのための前記ＰＤＣＣＨ信号は第１の無線ネットワーク一時識別子（ＲＮＴＩ）に基づいてスクランブルされたシーケンスを含み、前記シーケンスはダウンリンク制御情報（ＤＣＩ）および第２のＲＮＴＩによってスクランブルされた巡回冗長検査（ＣＲＣ）を含み、前記第１のＲＮＴＩに基づいてスクランブルされた前記シーケンスは、前記ＷＴＲＵのための前記ＰＤＣＣＨ信号がＷＴＲＵ固有探索空間において受信されるかどうかに基づいて決定され、
前記プロセッサは、前記ＰＤＣＣＨ候補の前記セットが前記ＷＴＲＵのための前記ＰＤＣＣＨ信号を含むかどうかを前記第１のＲＮＴＩおよび前記第２のＲＮＴＩに基づいて決定するよう構成され、
前記プロセッサおよび前記送受信機は、前記ＰＤＣＣＨ候補の前記セットが前記ＷＴＲＵのための前記ＰＤＣＣＨ信号を含む条件で、前記ＤＣＩに関連付けられた物理ダウンリンク共有チャネル（ＰＤＳＣＨ）上でデータを受信するように構成されたこと
を特徴とするＷＴＲＵ。
【請求項９】
前記第１のＲＮＴＩは、ＷＴＲＵ識別子（ＷＴＲＵ−ＩＤ）であることを特徴とする請求項８に記載のＷＴＲＵ。
【請求項１０】
前記ＷＴＲＵのための前記ＰＤＣＣＨ信号をＷＴＲＵ固有探索空間において受信する条件で、前記第１のＲＮＴＩは前記第２のＲＮＴＩと同じであることを特徴とする請求項８に記載のＷＴＲＵ。
【請求項１１】
第１のＲＮＴＩに基づいてスクランブルされた前記シーケンスは、ＷＴＲＵ固有探索空間において受信されることを特徴とする請求項８に記載のＷＴＲＵ。
【請求項１２】
前記ＰＤＳＣＨは、前記ＤＣＩによってスケジュールされることを特徴とする請求項８に記載のＷＴＲＵ。
【請求項１３】
前記シーケンスは、前記第１のＲＮＴＩによって初期化される第２のＲＮＴＩによってスクランブルされることを特徴とする請求項８に記載のＷＴＲＵ。
【請求項１４】
前記第１のＲＮＴＩは、前記第２のＲＮＴＩと異なることを特徴とする請求項８に記載のＷＴＲＵ。
【請求項１５】
基地局であって、
プロセッサと、
前記プロセッサに動作可能に結合された送受信機であって、
前記プロセッサおよび前記送受信機は、無線送受信ユニット（ＷＴＲＵ）のための物理ダウンリンク制御チャネル（ＰＤＣＣＨ）信号に対するＰＤＣＣＨ候補のセットを送信するよう構成され、前記ＷＴＲＵのための前記ＰＤＣＣＨ信号は第１の無線ネットワーク一時識別子（ＲＮＴＩ）に基づいてスクランブルされたシーケンスを含み、前記シーケンスはダウンリンク制御情報（ＤＣＩ）および第２のＲＮＴＩによってスクランブルされた巡回冗長検査（ＣＲＣ）を含み、前記第１のＲＮＴＩに基づいてスクランブルされた前記シーケンスは、前記ＷＴＲＵのための前記ＰＤＣＣＨ信号がＷＴＲＵ固有探索空間において受信されるかどうかに基づいて決定され、
前記プロセッサおよび前記送受信機は、前記ＰＤＣＣＨ候補の前記セットが前記ＷＴＲＵのための前記ＰＤＣＣＨ信号を含む条件で、前記ＤＣＩに関連付けられた物理ダウンリンク共有チャネル（ＰＤＳＣＨ）上でデータを送信するように構成されたこと
を特徴とする基地局。
【請求項１６】
前記第１のＲＮＴＩは、ＷＴＲＵ識別子（ＷＴＲＵ−ＩＤ）であることを特徴とする請求項１５に記載の基地局。
【請求項１７】
前記ＷＴＲＵのための前記ＰＤＣＣＨ信号をＷＴＲＵ固有探索空間において送信する条件で、前記第１のＲＮＴＩは前記第２のＲＮＴＩと同じであることを特徴とする請求項１５に記載の基地局。
【請求項１８】
第１のＲＮＴＩに基づいてスクランブルされた前記シーケンスは、ＷＴＲＵ固有探索空間において受信されることを特徴とする請求項１５に記載の基地局。
【請求項１９】
前記ＰＤＳＣＨは、前記ＤＣＩによってスケジュールされることを特徴とする請求項１５に記載の基地局。
【請求項２０】
前記シーケンスは、前記第１のＲＮＴＩによって初期化される第２のＲＮＴＩによってスクランブルされることを特徴とする請求項１５に記載の基地局。
【請求項２１】
前記第１のＲＮＴＩは、前記第２のＲＮＴＩと異なることを特徴とする請求項１５に記載の基地局。
【外国語明細書】
2020108153000001.pdf